(57)【要約】【課題】  切り取った紙片を見たい順番に並べ替える作業を行うことなくパラパラ画像用の紙片の束を得ることができるようにする。【解決手段】  両面印刷を行うことを前提に、その表面と裏面に画像を用紙上に市松模様に配置する際に、画像の順番と上下方向を適切に変更しながら配置することにより、蛇腹折りを行い、４隅(辺)を切り取ることで、パラパラ画像のための順番通りの紙片の束を即座に得ることができるようにする。【選択図】  図４７
2006229770.tif 000002
【特許請求の範囲】
【請求項１】
連続する複数の静止画を入力する入力手段と、
記録用紙の少なくとも一部に格子状に画像配置領域が設定され、前記格子状の画像配置領域に市松模様状に、前記静止画をレイアウトする第１レイアウト手段と、
前記第１レイアウト手段でレイアウトされた画像をプリントさせるプリント制御手段とを有することを特徴とする画像配置装置。
【請求項２】
前記第１レイアウト手段により、前記記録用紙の表面において画像の配置されていない格子に対応する裏面の画像配置領域に、連続する静止画像をレイアウトする第２レイアウト手段を有することを特徴とする請求項１に記載の画像配置装置。
【請求項３】
前記記録用紙の裏表に配置される画像は、同一の動画像から抽出された静止画像であることを特徴とする請求項２に記載の画像配置装置。
【請求項４】
動画像から複数の静止画を抽出する抽出手段を有し、
前記第１レイアウト手段により、画像がレイアウトされた前記記録用紙の記録面と同一の面において、画像のレイアウトされていない市松模様状の画像配置領域については、第１レイアウト手段に用いた動画像とは異なる動画像から抽出した静止画をレイアウト可能とする第２レイアウト手段を有することを特徴とする請求項１に記載の画像配置装置。
【請求項５】
１枚の用紙に配置する画像の全コマ数を表す配置コマ数、横方向に印刷するコマ数、及び縦方向に印刷するコマ数に従って、何コマかの静止画が集まった画像達を用紙の表面及び裏面に市松模様状に配置する画像配置装置であって、
前記静止画が集まった画像達を前記用紙表面の奇数段に配置する用紙表面奇数段画像配置手段と、
前記静止画が集まった画像達を前記用紙表面の偶数段に配置する用紙表面偶数段画像配置手段と、
前記静止画が集まった画像達を前記用紙裏面の奇数段に配置する用紙裏面奇数段画像配置手段と、
前記静止画が集まった画像達を前記用紙裏面の偶数段に配置する用紙裏面偶数段画像配置手段と、
前記画像達を配置するコマ数が前記配置コマ数に達したら、前記各画像配置手段による画像配置処理を停止させる画像配置制御手段とを有し、前記横方向に印刷するコマ数が奇数の場合に、
前記用紙表面奇数段画像配置手段は、最上段から画像配置処理を開始し、最左側のマスに最初のコマの画像を通常の向きで配置し、次に、右方向に１マス飛ばした位置に１コマ飛ばした画像を通常の向きで配置する処理を右方向に配置できるだけ繰り返し行い、
前記用紙表面偶数段画像配置手段は、最右側から左方向に１マス飛ばした位置に前記用紙表面奇数段画像配置手段が最後に配置したコマから１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、
前記用紙裏面奇数段画像配置手段は、最上段から画像配置処理を開始し、最右側から左方向に１マス飛ばした位置に２コマ目の画像を通常の向きで配置し、次に、左方向に１マス飛ばした位置に前記配置したコマの画像に対して１コマ飛ばした画像を通常の向きに配置する処理を左方向に配置できるだけ繰り返し行い、
前記用紙裏面偶数段画像配置手段は、最左側のマスに、前記用紙裏面奇数段画像配置手段が最後に配置したコマから１コマ飛ばした画像を、その天地を逆転させて配置し、次に、右方向に１マス飛ばした位置に１コマ飛ばした画像を、その天地を逆転させて配置する処理を右方向に配置できるだけ繰り返し行い、
前記画像配置制御手段は、前記各画像配置手段により行われた画像の配置が各段の最側部まで行われたら、画像を配置する段を下段に移行させるとともに、最下段まで画像が配置された場合、或いは配置した画像数が最大コマ数を超えた場合に、前記各画像配置手段による画像の配置処理を終了させることを特徴とする画像配置装置。
【請求項６】
１枚の用紙に配置する画像の全コマ数を表す配置コマ数、横方向に印刷するコマ数、及び縦方向に印刷するコマ数に従って、何コマかの静止画が集まった画像達を用紙の表面及び裏面に市松模様状に配置する画像配置装置であって、
前記静止画が集まった画像達を前記用紙表面の奇数段に配置する用紙表面奇数段画像配置手段と、
前記静止画が集まった画像達を前記用紙表面の偶数段に配置する用紙表面偶数段画像配置手段と、
前記静止画が集まった画像達を前記用紙裏面の奇数段に配置する用紙裏面奇数段画像配置手段と、
前記静止画が集まった画像達を前記用紙裏面の偶数段に配置する用紙裏面偶数段画像配置手段と、
前記画像達を配置するコマ数が前記配置コマ数に達したら、前記各画像配置手段による画像配置処理を停止させる画像配置制御手段とを有し、前記横方向に印刷するコマ数が偶数の場合に、
前記用紙表面奇数段画像配置手段は、最上段から画像配置処理を開始し、最左側のマスに最初のコマの画像を通常の向きで配置し、次に、右方向に１マス飛ばした位置に１コマ飛ばした画像を通常の向きで配置する処理を右方向に配置できるだけ繰り返し行い、
前記用紙表面偶数段画像配置手段は、最右側のマスに、前記用紙表面奇数段画像配置手段が最後に配置したコマの画像から１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、
前記用紙裏面奇数段画像配置手段は、最下段から画像配置処理を開始し、最左側のマスに、前記用紙表面偶数段画像配置手段が最後に配置したコマの画像から１コマ飛ばした画像を通常の向きで配置し、次に、右方向に１マス飛ばした位置に１コマ飛ばした画像を通常の向きで配置する処理を右方向に配置できるだけ繰り返し行い、
前記用紙裏面偶数段画像配置手段は、最右側のマスに前記用紙裏面奇数段画像配置手段が最後に配置したコマから１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、
前記画像配置制御手段は、前記各画像配置手段により行われた画像の配置が各段の最側部まで行われたら、画像を配置する段を下段に移行させるとともに、最下段まで画像が配置された場合、或いは配置した画像数が最大コマ数を超えた場合に、前記各画像配置手段による画像の配置処理を終了させることを特徴とする画像配置装置。
【請求項７】
前記請求項１〜６の何れか１項に記載の画像配置装置により得られた表面と裏面の画像の配置を用紙の両面に印刷することを特徴とする画像印刷装置。
【請求項８】
連続する複数の静止画を入力する入力工程と、
記録用紙の少なくとも一部に格子状に画像配置領域が設定され、前記格子状の画像配置領域に市松模様状に、前記静止画をレイアウトする第１レイアウト工程と、
前記第１レイアウト工程でレイアウトされた画像をプリントさせるプリント制御工程とを有することを特徴とする画像配置方法。
【請求項９】
前記第１レイアウト工程により、前記記録用紙の表面において画像の配置されていない格子に対応する裏面の画像配置領域に、連続する静止画像をレイアウトする第２レイアウト工程を有することを特徴とする請求項８に記載の画像配置方法。
【請求項１０】
前記記録用紙の裏表に配置される画像は、同一の動画像から抽出された静止画像であることを特徴とする請求項９に記載の画像配置方法。
【請求項１１】
動画像から複数の静止画を抽出する抽出工程を有し、
前記第１レイアウト工程により、画像がレイアウトされた前記記録用紙の記録面と同一の面において、画像のレイアウトされていない市松模様状の画像配置領域については、第１レイアウト工程に用いた動画像とは異なる動画像から抽出した静止画をレイアウト可能とする第２レイアウト工程を有することを特徴とする請求項８に記載の画像配置方法。
【請求項１２】
１枚の用紙に配置する画像の全コマ数を表す配置コマ数、横方向に印刷するコマ数、及び縦方向に印刷するコマ数に従って、何コマかの静止画が集まった画像達を用紙の表面及び裏面に市松模様状に配置する画像配置方法であって、
前記静止画が集まった画像達を前記用紙表面の奇数段に配置する用紙表面奇数段画像配置工程と、
前記静止画が集まった画像達を前記用紙表面の偶数段に配置する用紙表面偶数段画像配置工程と、
前記静止画が集まった画像達を前記用紙裏面の奇数段に配置する用紙裏面奇数段画像配置工程と、
前記静止画が集まった画像達を前記用紙裏面の偶数段に配置する用紙裏面偶数段画像配置工程と、
前記画像達を配置するコマ数が前記配置コマ数に達したら、前記各画像配置工程による画像配置処理を停止させる画像配置制御工程とを有し、前記横方向に印刷するコマ数が奇数の場合に、
前記用紙表面奇数段画像配置工程は、最上段から画像配置処理を開始し、最左側のマスに最初のコマの画像を通常の向きで配置し、次に、右方向に１マス飛ばした位置に１コマ飛ばした画像を通常の向きで配置する処理を右方向に配置できるだけ繰り返し行い、
前記用紙表面偶数段画像配置工程は、最右側から左方向に１マス飛ばした位置に前記用紙表面奇数段画像配置工程が最後に配置したコマから１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、
前記用紙裏面奇数段画像配置工程は、最上段から画像配置処理を開始し、最右側から左方向に１マス飛ばした位置に２コマ目の画像を通常の向きで配置し、次に、左方向に１マス飛ばした位置に前記配置したコマの画像に対して１コマ飛ばした画像を通常の向きに配置する処理を左方向に配置できるだけ繰り返し行い、
前記用紙裏面偶数段画像配置工程は、最左側のマスに、前記用紙裏面奇数段画像配置工程が最後に配置したコマから１コマ飛ばした画像を、その天地を逆転させて配置し、次に、右方向に１マス飛ばした位置に１コマ飛ばした画像を、その天地を逆転させて配置する処理を右方向に配置できるだけ繰り返し行い、
前記画像配置制御工程は、前記各画像配置工程により行われた画像の配置が各段の最側部まで行われたら、画像を配置する段を下段に移行させるとともに、最下段まで画像が配置された場合、或いは配置した画像数が最大コマ数を超えた場合に、前記各画像配置工程による画像の配置処理を終了させることを特徴とする画像配置方法。
【請求項１３】
１枚の用紙に配置する画像の全コマ数を表す配置コマ数、横方向に印刷するコマ数、及び縦方向に印刷するコマ数に従って、何コマかの静止画が集まった画像達を用紙の表面及び裏面に市松模様状に配置する画像配置方法であって、
前記静止画が集まった画像達を前記用紙表面の奇数段に配置する用紙表面奇数段画像配置工程と、
前記静止画が集まった画像達を前記用紙表面の偶数段に配置する用紙表面偶数段画像配置工程と、
前記静止画が集まった画像達を前記用紙裏面の奇数段に配置する用紙裏面奇数段画像配置工程と、
前記静止画が集まった画像達を前記用紙裏面の偶数段に配置する用紙裏面偶数段画像配置工程と、
前記画像達を配置するコマ数が前記配置コマ数に達したら、前記各画像配置工程による画像配置処理を停止させる画像配置制御工程とを有し、前記横方向に印刷するコマ数が偶数の場合に、
前記用紙表面奇数段画像配置工程は、最上段から画像配置処理を開始し、最左側のマスに最初のコマの画像を通常の向きで配置し、次に、右方向に１マス飛ばした位置に１コマ飛ばした画像を通常の向きで配置する処理を右方向に配置できるだけ繰り返し行い、
前記用紙表面偶数段画像配置工程は、最右側のマスに、前記用紙表面奇数段画像配置工程が最後に配置したコマの画像から１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、
前記用紙裏面奇数段画像配置工程は、最上段から画像配置処理を開始し、最左側のマスに、前記用紙表面偶数段画像配置工程が最後に配置したコマの画像から１コマ飛ばした画像を通常の向きで配置し、次に、右方向に１マス飛ばした位置に１コマ飛ばした画像を通常の向きで配置する処理を右方向に配置できるだけ繰り返し行い、
前記用紙裏面偶数段画像配置工程は、最右側のマスに前記用紙裏面奇数段画像配置工程が最後に配置したコマから１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、
前記画像配置制御工程は、前記各画像配置工程により行われた画像の配置が各段の最側部まで行われたら、画像を配置する段を下段に移行させるとともに、最下段まで画像が配置された場合、或いは配置した画像数が最大コマ数を超えた場合に、前記各画像配置工程による画像の配置処理を終了させることを特徴とする画像配置方法。
【請求項１４】
前記画像配置制御工程は、配置する最大コマ数が、配置する格子の横の列数と縦の段数を掛け合わせて得られる一枚の用紙に配置可能なコマ数より多い場合は、一枚の用紙の両面に画像を配置後に、未だ配置していない画像達の１枚目を新たな１コマ目として次の用紙に配置するように前記各画像配置工程を制御して、前記静止画が集まった画像達を複数枚の用紙に亘って配置することを特徴とする請求項１２または１３に記載の画像配置方法。
【請求項１５】
前記用紙表面奇数段画像配置工程、用紙表面偶数段画像配置工程、用紙裏面奇数段画像配置工程、用紙裏面偶数段画像配置工程、及び画像配置制御工程によって前記静止画が集まった画像達が配置された用紙上に、前記静止画が集まった画像達とは異なる第２の静止画が集まった画像達を配置する画像配置方法であって、
前記第２の静止画が集まった画像達を前記用紙表面の奇数段に配置する第２の用紙表面奇数段画像配置工程と、
前記第２の静止画が集まった画像達を前記用紙表面の偶数段に配置する第２の用紙表面偶数段画像配置工程と、
前記第２の静止画が集まった画像達を前記用紙裏面の奇数段に配置する第２の用紙裏面奇数段画像配置工程と、
前記第２の静止画が集まった画像達を前記用紙裏面の偶数段に配置する第２の用紙裏面偶数段画像配置工程と、
前記画像達を配置するコマ数が前記配置コマ数に達したら、前記各画像配置工程による画像配置処理を停止させる第２の画像配置制御工程とを有し、配置する格子における横の列数が奇数で、縦の段数が奇数の場合、
前記第２の用紙表面奇数段画像配置工程は、最下段から画像配置処理を開始し、最右側から左方向に１マスに飛ばした位置に、前記第２の静止画が集まった画像達中の２コマ目の画像を、その天地を逆転させて配置し、次に、左方向に１マス飛ばした位置に１コマ飛ばした画像を、その天地を逆転させて配置する処理を左方向に配置できるだけ繰り返し行い、
前記第２の用紙表面偶数段画像配置工程は、最左側のマスに、前記第２の用紙表面奇数段画像配置工程によって最後に配置されたコマから１コマ飛ばした画像を通常の向きで配置し、次に、右方向に１マス飛ばした位置に１コマ飛ばした画像を通常の向きで配置する処理を右方向に配置できるだけ繰り返し行い、
前記第２の用紙裏面奇数段画像配置工程は、最下段から画像配置処理を開始し、最左側のマスに前記第２の静止画が集まった画像達中の１コマ目の画像を、その天地を逆転させて配置し、次に、右方向に１マス飛ばした位置に１コマ飛ばした画像を、その天地を逆にして配置する処理を右方向に配置できるだけ繰り返し行い、
前記用紙裏面偶数段画像配置工程は、最右側から左方向に１マスに飛ばした位置に、前記用紙裏面奇数段画像配置工程が最後に配置したコマから１コマ飛ばした画像を通常の向きで配置し、次に、左方向に１マス飛ばした位置に１コマ飛ばした画像を通常の向きで配置する処理を左方向に配置できるだけ繰り返し行い、
前記第２の画像配置制御工程は、前記各画像配置工程により行われた画像の配置が各段の最側部まで行われたら、画像を配置する段を上段に移行させるとともに、最上段まで画像が配置された場合、或いは配置した画像数が最大コマ数を超えた場合に、前記各画像配置工程による画像の配置処理を終了させることを特徴とする請求項１２に記載の画像配置方法。
【請求項１６】
前記用紙表面奇数段画像配置工程、用紙表面偶数段画像配置工程、用紙裏面奇数段画像配置工程、用紙裏面偶数段画像配置工程、及び画像配置制御工程によって前記静止画が集まった画像達が配置された用紙上に、前記静止画が集まった画像達とは異なる第２の静止画が集まった画像達を配置する画像配置方法であって、
前記第２の静止画が集まった画像達を前記用紙表面の奇数段に配置する第２の用紙表面奇数段画像配置工程と、
前記第２の静止画が集まった画像達を前記用紙表面の偶数段に配置する第２の用紙表面偶数段画像配置工程と、
前記第２の静止画が集まった画像達を前記用紙裏面の奇数段に配置する第２の用紙裏面奇数段画像配置工程と、
前記第２の静止画が集まった画像達を前記用紙裏面の偶数段に配置する第２の用紙裏面偶数段画像配置工程と、
前記画像達を配置するコマ数が前記配置コマ数に達したら、前記各画像配置工程による画像配置処理を停止させる第２の画像配置制御工程とを有し、配置する格子における横の列数が奇数で、縦の段数が偶数の場合、
前記第２の用紙表面偶数段画像配置工程は、最下段から画像配置処理を開始し、最左側のマスに、前記第２の静止画が集まった画像達中の１コマ目の画像を通常の向きで配置し、次に、右方向に１マス飛ばした位置に１コマ飛ばした画像を通常の向きで配置する処理を右方向に配置できるだけ繰り返し行い、
前記第２の用紙表面奇数段画像配置工程は、最右側から左方向に１マス飛ばした位置に、前記第２の用紙表面偶数段画像配置工程が最後に配置したコマから１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、
前記第２の用紙裏面偶数段画像配置工程は、最下段から画像配置処理を開始し、最右側から１マス飛ばした位置に、２コマ目の画像を通常の向きで配置し、次に、左方向に１マス飛ばした位置に１コマ飛ばした画像を通常の向きで配置する処理を左方向に配置できるだけ繰り返し行い、
前記第２の用紙裏面奇数段画像配置工程は、最左側のマスに、前記第２の用紙裏面偶数段画像配置工程が最後に配置したコマから１コマ飛ばした画像を、その天地を逆転させて配置し、次に、右方向に１マス飛ばした位置に１コマ飛ばした画像を、その天地を逆転させて配置する処理を、右方向に配置できるだけ繰り返し行い、
前記第２の画像配置制御工程は、前記各画像配置工程により行われた画像の配置が各段の最側部まで行われたら、画像を配置する段を上段に移行させるとともに、最上段まで画像が配置された場合、或いは配置した画像数が最大コマ数を超えた場合に、前記各画像配置工程による画像の配置処理を終了させることを特徴とする請求項１２に記載の画像配置方法。
【請求項１７】
前記用紙表面奇数段画像配置工程、用紙表面偶数段画像配置工程、用紙裏面奇数段画像配置工程、用紙裏面偶数段画像配置工程、及び画像配置制御工程によって前記静止画が集まった画像達が配置された用紙上に、前記静止画が集まった画像達とは異なる第２の静止画が集まった画像達を配置する画像配置方法であって、
前記第２の静止画が集まった画像達を前記用紙表面の奇数段に配置する第２の用紙表面奇数段画像配置工程と、
前記第２の静止画が集まった画像達を前記用紙表面の偶数段に配置する第２の用紙表面偶数段画像配置工程と、
前記第２の静止画が集まった画像達を前記用紙裏面の奇数段に配置する第２の用紙裏面奇数段画像配置工程と、
前記第２の静止画が集まった画像達を前記用紙裏面の偶数段に配置する第２の用紙裏面偶数段画像配置工程と、
前記画像達を配置するコマ数が前記配置コマ数に達したら、前記各画像配置工程による画像配置処理を停止させる第２の画像配置制御工程とを有し、配置する格子における横の列数が偶数の場合で縦の段数が奇数の場合、
前記第２の用紙表面奇数段画像配置工程は、最下段から画像配置処理を開始し、最右側のマスに、１コマ目の画像を、その天地を逆転させて配置し、次に、左方向に１マス飛ばした位置に１コマ飛ばした画像を、その天地を逆転させて配置する処理を左方向に配置できるだけ繰り返し行い、
前記第２の用紙表面偶数段画像配置工程は、最左側のマスに前記第２の用紙表面奇数段画像配置工程が最後に配置したコマから１コマ飛ばした画像を通常の向きで配置し、次に、右方向に１マス飛ばした位置に１コマ飛ばした画像を通常の向きで配置する処理を右方向に配置できるだけ繰り返し行い、
前記第２の用紙裏面奇数段画像配置工程は、最下段から画像配置処理を開始し、最右側のマスに、前記第２の静止画が集まった画像達中の２コマ目の画像を、その天地を逆転させて配置し、次に、左方向に１マス飛ばした位置に１コマ飛ばした画像を、その天地を逆にして配置する処理を左方向に配置できるだけ繰り返し行い、
前記第２の用紙裏面偶数段画像配置工程は、最左側のマスに、前記第２の用紙裏面奇数段画像配置工程が最後に配置したコマから１コマ飛ばした画像を通常の向きで配置し、次に、右方向に１マス飛ばした位置に１コマ飛ばした画像を通常の向きで配置する処理を右方向に配置できるだけ繰り返し行い、
前記第２の画像配置制御工程は、前記各画像配置工程により行われた画像の配置が各段の最側部まで行われたら、画像を配置する段を上段に移行させるとともに、最上段まで画像が配置された場合、或いは配置した画像数が最大コマ数を超えた場合に、前記各画像配置工程による画像の配置処理を終了させることを特徴とする請求項１３に記載の画像配置方法。
【請求項１８】
前記用紙表面奇数段画像配置工程、用紙表面偶数段画像配置工程、用紙裏面奇数段画像配置工程、用紙裏面偶数段画像配置工程、及び画像配置制御工程によって前記静止画が集まった画像達が配置された用紙上に、前記静止画が集まった画像達とは異なる第２の静止画が集まった画像達を配置する画像配置方法であって、
前記第２の静止画が集まった画像達を前記用紙表面の奇数段に配置する第２の用紙表面奇数段画像配置工程と、
前記第２の静止画が集まった画像達を前記用紙表面の偶数段に配置する第２の用紙表面偶数段画像配置工程と、
前記第２の静止画が集まった画像達を前記用紙裏面の奇数段に配置する第２の用紙裏面奇数段画像配置工程と、
前記第２の静止画が集まった画像達を前記用紙裏面の偶数段に配置する第２の用紙裏面偶数段画像配置工程と、
前記画像達を配置するコマ数が前記配置コマ数に達したら、前記各画像配置工程による画像配置処理を停止させる第２の画像配置制御工程とを有し、配置する格子における横の列数が偶数の場合で縦の段数が偶数の場合、
前記第２の用紙表面偶数段画像配置工程は、最下段から画像配置処理を開始し、最左側のマスに、前記第２の静止画が集まった画像達中の１コマ目の画像を通常の向きで配置し、次に、右方向に１マス飛ばした位置に１コマ飛ばした画像を通常の向きで配置する処理を右方向に配置できるだけ繰り返し行い、
前記第２の用紙表面奇数段画像配置工程は、最右側のマスに前記第２の用紙表面偶数段画像配置工程が最後に配置したコマから１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、
前記第２の用紙裏面偶数段画像配置工程は、最下段から画像配置処理を開始し、最左側のマスに、前記第２の静止画が集まった画像達中の２コマ目の画像を通常の向きで配置し、次に、右方向に１マス飛ばした位置に１コマ飛ばした画像を通常の向きで配置する処理を右方向に配置できるだけ繰り返し行い、
前記第２の用紙裏面奇数段画像配置工程は、最右側のマスに前記第２の用紙裏面偶数段画像配置工程が最後に配置したコマから１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、
前記第２の画像配置制御工程は、前記各画像配置工程により行われた画像の配置が各段の最側部まで行われたら、画像を配置する段を上段に移行させるとともに、最上段まで画像が配置された場合、或いは配置した画像数が最大コマ数を超えた場合に、前記各画像配置工程による画像の配置処理を終了させることを特徴とする請求項１３に記載の画像配置方法。
【請求項１９】
前記第２の画像配置制御工程は、配置する最大コマ数が、配置する格子の横の列数と縦の段数を掛け合わせて得られる一枚の用紙に配置可能なコマ数より多い場合は、一枚の用紙の両面に画像を配置後に、未だ配置していない画像達の１枚目を新たな１コマ目として次の用紙に配置するように前記各画像配置工程を制御して、前記第２の静止画が集まった画像達を複数枚の用紙に亘って配置することを特徴とする請求項１５〜１８の何れか１項に記載の画像配置方法。
【請求項２０】
前記請求項８〜１９の何れか１項に記載の画像配置方法により得られた表面と裏面の画像の配置を用紙の両面に印刷することを特徴とする画像印刷方法。
【請求項２１】
前記請求項７に記載の画像印刷装置により得られた紙を縦方向にマスの境目の左から山折りを行う第１の工程と、
前記第１の工程の後で、右方向に１マス行った境目で谷折りを行う第２の工程と、
前記第２の工程の後で、さらに右方向に１マス行った境目で山折りを行う第３の工程と、
前記第３の工程の後で、交互に山折り谷折りを繰り返し、境目がなくなったら、次に横方向にマスの境目の上から山折りを行う第４の工程と、
前記第４の工程の後で、下方向に１マス行った境目で谷折りを行い、さらに下方向に１マス行った境目で山折りを行う第５の工程と、
前記第５の工程の後で、交互に山折り谷折りを繰り返し境目がなくなったら折ることを止める第６の工程と、
前記第１〜第６の工程により得られる１マス分の大きさに折り重なった紙の４辺を所定の幅で切断する第７の工程とを有することを特徴するパラパラ画像用紙製造方法。
【請求項２２】
連続する複数の静止画を入力する入力工程と、
記録用紙の少なくとも一部に格子状に画像配置領域が設定され、前記格子状の画像配置領域に市松模様状に、前記静止画をレイアウトする第１レイアウト工程と、
前記第１レイアウト工程でレイアウトされた画像をプリントさせるプリント制御工程とを有する画像配置方法をコンピュータに実行させることを特徴とするコンピュータプログラム。
【請求項２３】
１枚の用紙に配置する画像の全コマ数を表す配置コマ数、横方向に印刷するコマ数、及び縦方向に印刷するコマ数に従って、何コマかの静止画が集まった画像達を用紙の表面及び裏面に市松模様状に配置する画像配置方法をコンピュータに実行させるプログラムであって、
前記静止画が集まった画像達を前記用紙表面の奇数段に配置する用紙表面奇数段画像配置工程と、
前記静止画が集まった画像達を前記用紙表面の偶数段に配置する用紙表面偶数段画像配置工程と、
前記静止画が集まった画像達を前記用紙裏面の奇数段に配置する用紙裏面奇数段画像配置工程と、
前記静止画が集まった画像達を前記用紙裏面の偶数段に配置する用紙裏面偶数段画像配置工程と、
前記画像達を配置するコマ数が前記配置コマ数に達したら、前記各画像配置工程による画像配置処理を停止させる画像配置制御工程とを有し、前記横方向に印刷するコマ数が奇数の場合に、
前記用紙表面奇数段画像配置工程は、最上段から画像配置処理を開始し、最左側のマスに最初のコマの画像を通常の向きで配置し、次に、右方向に１マス飛ばした位置に１コマ飛ばした画像を通常の向きで配置する処理を右方向に配置できるだけ繰り返し行い、
前記用紙表面偶数段画像配置工程は、最右側から左方向に１マス飛ばした位置に前記用紙表面奇数段画像配置工程が最後に配置したコマから１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、
前記用紙裏面奇数段画像配置工程は、最上段から画像配置処理を開始し、最右側から左方向に１マス飛ばした位置に２コマ目の画像を通常の向きで配置し、次に、左方向に１マス飛ばした位置に前記配置したコマの画像に対して１コマ飛ばした画像を通常の向きに配置する処理を左方向に配置できるだけ繰り返し行い、
前記用紙裏面偶数段画像配置工程は、最左側のマスに、前記用紙裏面奇数段画像配置工程が最後に配置したコマから１コマ飛ばした画像を、その天地を逆転させて配置し、次に、右方向に１マス飛ばした位置に１コマ飛ばした画像を、その天地を逆転させて配置する処理を右方向に配置できるだけ繰り返し行い、
前記画像配置制御工程は、前記各画像配置工程により行われた画像の配置が各段の最側部まで行われたら、画像を配置する段を下段に移行させるとともに、最下段まで画像が配置された場合、或いは配置した画像数が最大コマ数を超えた場合に、前記各画像配置工程による画像の配置処理を終了させる画像配置方法をコンピュータに実行させることを特徴とするコンピュータプログラム。
【請求項２４】
１枚の用紙に配置する画像の全コマ数を表す配置コマ数、横方向に印刷するコマ数、及び縦方向に印刷するコマ数に従って、何コマかの静止画が集まった画像達を用紙の表面及び裏面に市松模様状に配置する画像配置方法をコンピュータに実行させるプログラムであって、
前記静止画が集まった画像達を前記用紙表面の奇数段に配置する用紙表面奇数段画像配置工程と、
前記静止画が集まった画像達を前記用紙表面の偶数段に配置する用紙表面偶数段画像配置工程と、
前記静止画が集まった画像達を前記用紙裏面の奇数段に配置する用紙裏面奇数段画像配置工程と、
前記静止画が集まった画像達を前記用紙裏面の偶数段に配置する用紙裏面偶数段画像配置工程と、
前記画像達を配置するコマ数が前記配置コマ数に達したら、前記各画像配置工程による画像配置処理を停止させる画像配置制御工程とを有し、前記横方向に印刷するコマ数が偶数の場合に、
前記用紙表面奇数段画像配置工程は、最上段から画像配置処理を開始し、最左側のマスに最初のコマの画像を通常の向きで配置し、次に、右方向に１マス飛ばした位置に１コマ飛ばした画像を通常の向きで配置する処理を右方向に配置できるだけ繰り返し行い、
前記用紙表面偶数段画像配置工程は、最右側のマスに、前記用紙表面奇数段画像配置工程が最後に配置したコマの画像から１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、
前記用紙裏面奇数段画像配置工程は、最上段から画像配置処理を開始し、最左側のマスに、前記用紙表面偶数段画像配置工程が最後に配置したコマの画像から１コマ飛ばした画像を通常の向きで配置し、次に、右方向に１マス飛ばした位置に１コマ飛ばした画像を通常の向きで配置する処理を右方向に配置できるだけ繰り返し行い、
前記用紙裏面偶数段画像配置工程は、最右側のマスに前記用紙裏面奇数段画像配置工程が最後に配置したコマから１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、
前記画像配置制御工程は、前記各画像配置工程により行われた画像の配置が各段の最側部まで行われたら、画像を配置する段を下段に移行させるとともに、最下段まで画像が配置された場合、或いは配置した画像数が最大コマ数を超えた場合に、前記各画像配置工程による画像の配置処理を終了させる画像配置方法をコンピュータに実行させることを特徴とするコンピュータプログラム。
【請求項２５】
前記請求項２２〜２４の何れか１項に記載のコンピュータプログラムを記録したことを特徴とするコンピュータ読み取り可能な記録媒体。
【発明の詳細な説明】
【技術分野】
【０００１】
本発明は画像配置装置及び画像配置方法に関し、特に、パラパラ画像を簡単に得るようにするために用いて好適な技術に関する。
【背景技術】
【０００２】
従来、動画を印刷する際には、一コマ一コマを一枚の紙に印刷していたのでは、例えば一秒に３０フレ−ム（コマ）の動画像であれば、数秒で何百枚も印刷しなければならない。そこで、一枚の紙に何コマかを縮小もしくは拡大するなどして配置して印刷を行うことがよく行われる。その際、ネガを並べたように、時系列に上から右方向に並べて配置し、右方向に配置できなくなったら一段下がり、また右方向に並べるといった形で配置される。
【０００３】
また、Ａ４サイズの用紙に１５面を割り振ってその境目にミシン目が入った用紙と、ホルダ−のセットも販売している。このホルダ−にセットしてパラパラめくると、動画を手元で再現して楽しむことができる製品がある。また、例えば特許文献１には、パラパラ画像の高速な表示方法が提示されている。
【０００４】
【特許文献１】特開平０７−０８７３２６号公報
【発明の開示】
【発明が解決しようとする課題】
【０００５】
前記従来方法では、１枚の紙に何コマか印刷したものを一コマ毎に一枚一枚ばらばらに切り取る作業と、切り取った紙片を見たい順番に（多くは時系列順に）並べる作業とが必要であり手間がかかるという問題があった。
【０００６】
本発明は前述の問題点にかんがみ、切り取った紙片を見たい順番に並べ替える作業を行うことなくパラパラ画像用の紙片の束を得ることができるようにすることを目的としている。
【課題を解決するための手段】
【０００７】
本発明の画像配置装置は、連続する複数の静止画を入力する入力手段と、記録用紙の少なくとも一部に格子状に画像配置領域が設定され、前記格子状の画像配置領域に市松模様状に、前記静止画をレイアウトする第１レイアウト手段と、前記第１レイアウト手段でレイアウトされた画像をプリントさせるプリント制御手段とを有することを特徴とする。
また、本発明の画像配置装置の他の特徴とするところは、１枚の用紙に配置する画像の全コマ数を表す配置コマ数、横方向に印刷するコマ数、及び縦方向に印刷するコマ数に従って、何コマかの静止画が集まった画像達を用紙の表面及び裏面に市松模様状に配置する画像配置装置であって、
前記静止画が集まった画像達を前記用紙表面の奇数段に配置する用紙表面奇数段画像配置手段と、前記静止画が集まった画像達を前記用紙表面の偶数段に配置する用紙表面偶数段画像配置手段と、前記静止画が集まった画像達を前記用紙裏面の奇数段に配置する用紙裏面奇数段画像配置手段と、前記静止画が集まった画像達を前記用紙裏面の偶数段に配置する用紙裏面偶数段画像配置手段と、前記画像達を配置するコマ数が前記配置コマ数に達したら、前記各画像配置手段による画像配置処理を停止させる画像配置制御手段とを有し、前記横方向に印刷するコマ数が奇数の場合に、前記用紙表面奇数段画像配置手段は、最上段から画像配置処理を開始し、最左側のマスに最初のコマの画像を通常の向きで配置し、次に、右方向に１マス飛ばした位置に１コマ飛ばした画像を通常の向きで配置する処理を右方向に配置できるだけ繰り返し行い、前記用紙表面偶数段画像配置手段は、最右側から左方向に１マス飛ばした位置に前記用紙表面奇数段画像配置手段が最後に配置したコマから１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、前記用紙裏面奇数段画像配置手段は、最上段から画像配置処理を開始し、最右側から左方向に１マス飛ばした位置に２コマ目の画像を通常の向きで配置し、次に、左方向に１マス飛ばした位置に前記配置したコマの画像に対して１コマ飛ばした画像を通常の向きに配置する処理を左方向に配置できるだけ繰り返し行い、前記用紙裏面偶数段画像配置手段は、最左側のマスに、前記用紙裏面奇数段画像配置手段が最後に配置したコマから１コマ飛ばした画像を、その天地を逆転させて配置し、次に、右方向に１マス飛ばした位置に１コマ飛ばした画像を、その天地を逆転させて配置する処理を右方向に配置できるだけ繰り返し行い、前記画像配置制御手段は、前記各画像配置手段により行われた画像の配置が各段の最側部まで行われたら、画像を配置する段を下段に移行させるとともに、最下段まで画像が配置された場合、或いは配置した画像数が最大コマ数を超えた場合に、前記各画像配置手段による画像の配置処理を終了させることを特徴とする。
また、本発明の画像配置装置の他の特徴とするところは、１枚の用紙に配置する画像の全コマ数を表す配置コマ数、横方向に印刷するコマ数、及び縦方向に印刷するコマ数に従って、何コマかの静止画が集まった画像達を用紙の表面及び裏面に市松模様状に配置する画像配置装置であって、
前記静止画が集まった画像達を前記用紙表面の奇数段に配置する用紙表面奇数段画像配置手段と、前記静止画が集まった画像達を前記用紙表面の偶数段に配置する用紙表面偶数段画像配置手段と、前記静止画が集まった画像達を前記用紙裏面の奇数段に配置する用紙裏面奇数段画像配置手段と、前記静止画が集まった画像達を前記用紙裏面の偶数段に配置する用紙裏面偶数段画像配置手段と、前記画像達を配置するコマ数が前記配置コマ数に達したら、前記各画像配置手段による画像配置処理を停止させる画像配置制御手段とを有し、前記横方向に印刷するコマ数が偶数の場合に、前記用紙表面奇数段画像配置手段は、最上段から画像配置処理を開始し、最左側のマスに最初のコマの画像を通常の向きで配置し、次に、右方向に１マス飛ばした位置に１コマ飛ばした画像を通常の向きで配置する処理を右方向に配置できるだけ繰り返し行い、前記用紙表面偶数段画像配置手段は、最右側のマスに、前記用紙表面奇数段画像配置手段が最後に配置したコマの画像から１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、
前記用紙裏面奇数段画像配置手段は、最下段から画像配置処理を開始し、最左側のマスに、前記用紙表面偶数段画像配置手段が最後に配置したコマの画像から１コマ飛ばした画像を通常の向きで配置し、次に、右方向に１マス飛ばした位置に１コマ飛ばした画像を通常の向きで配置する処理を右方向に配置できるだけ繰り返し行い、前記用紙裏面偶数段画像配置手段は、最右側のマスに前記用紙裏面奇数段画像配置手段が最後に配置したコマから１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、前記画像配置制御手段は、前記各画像配置手段により行われた画像の配置が各段の最側部まで行われたら、画像を配置する段を下段に移行させるとともに、最下段まで画像が配置された場合、或いは配置した画像数が最大コマ数を超えた場合に、前記各画像配置手段による画像の配置処理を終了させることを特徴とする。
【０００８】
本発明の印刷装置は、前記の何れかに記載の画像配置装置により得られた表面と裏面の画像の配置を用紙の両面に印刷することを特徴とする。
【０００９】
本発明の画像配置方法は、連続する複数の静止画を入力する入力工程と、記録用紙の少なくとも一部に格子状に画像配置領域が設定され、前記格子状の画像配置領域に市松模様状に、前記静止画をレイアウトする第１レイアウト工程と、前記第１レイアウト工程でレイアウトされた画像をプリントさせるプリント制御工程とを有することを特徴とする。
また、本発明の画像配置方法の他の特徴とするところは、１枚の用紙に配置する画像の全コマ数を表す配置コマ数、横方向に印刷するコマ数、及び縦方向に印刷するコマ数に従って、何コマかの静止画が集まった画像達を用紙の表面及び裏面に市松模様状に配置する画像配置方法であって、
前記静止画が集まった画像達を前記用紙表面の奇数段に配置する用紙表面奇数段画像配置工程と、前記静止画が集まった画像達を前記用紙表面の偶数段に配置する用紙表面偶数段画像配置工程と、前記静止画が集まった画像達を前記用紙裏面の奇数段に配置する用紙裏面奇数段画像配置工程と、前記静止画が集まった画像達を前記用紙裏面の偶数段に配置する用紙裏面偶数段画像配置工程と、前記画像達を配置するコマ数が前記配置コマ数に達したら、前記各画像配置工程による画像配置処理を停止させる画像配置制御工程とを有し、前記横方向に印刷するコマ数が奇数の場合に、前記用紙表面奇数段画像配置工程は、最上段から画像配置処理を開始し、最左側のマスに最初のコマの画像を通常の向きで配置し、次に、右方向に１マス飛ばした位置に１コマ飛ばした画像を通常の向きで配置する処理を右方向に配置できるだけ繰り返し行い、前記用紙表面偶数段画像配置工程は、最右側から左方向に１マス飛ばした位置に前記用紙表面奇数段画像配置工程が最後に配置したコマから１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、前記用紙裏面奇数段画像配置工程は、最上段から画像配置処理を開始し、最右側から左方向に１マス飛ばした位置に２コマ目の画像を通常の向きで配置し、次に、左方向に１マス飛ばした位置に前記配置したコマの画像に対して１コマ飛ばした画像を通常の向きに配置する処理を左方向に配置できるだけ繰り返し行い、前記用紙裏面偶数段画像配置工程は、最左側のマスに、前記用紙裏面奇数段画像配置工程が最後に配置したコマから１コマ飛ばした画像を、その天地を逆転させて配置し、次に、右方向に１マス飛ばした位置に１コマ飛ばした画像を、その天地を逆転させて配置する処理を右方向に配置できるだけ繰り返し行い、前記画像配置制御工程は、前記各画像配置工程により行われた画像の配置が各段の最側部まで行われたら、画像を配置する段を下段に移行させるとともに、最下段まで画像が配置された場合、或いは配置した画像数が最大コマ数を超えた場合に、前記各画像配置工程による画像の配置処理を終了させることを特徴とする。
また、本発明の画像配置方法の他の特徴とするところは、１枚の用紙に配置する画像の全コマ数を表す配置コマ数、横方向に印刷するコマ数、及び縦方向に印刷するコマ数に従って、何コマかの静止画が集まった画像達を用紙の表面及び裏面に市松模様状に配置する画像配置方法であって、
前記静止画が集まった画像達を前記用紙表面の奇数段に配置する用紙表面奇数段画像配置工程と、前記静止画が集まった画像達を前記用紙表面の偶数段に配置する用紙表面偶数段画像配置工程と、前記静止画が集まった画像達を前記用紙裏面の奇数段に配置する用紙裏面奇数段画像配置工程と、前記静止画が集まった画像達を前記用紙裏面の偶数段に配置する用紙裏面偶数段画像配置工程と、前記画像達を配置するコマ数が前記配置コマ数に達したら、前記各画像配置工程による画像配置処理を停止させる画像配置制御工程とを有し、前記横方向に印刷するコマ数が偶数の場合に、前記用紙表面奇数段画像配置工程は、最上段から画像配置処理を開始し、最左側のマスに最初のコマの画像を通常の向きで配置し、次に、右方向に１マス飛ばした位置に１コマ飛ばした画像を通常の向きで配置する処理を右方向に配置できるだけ繰り返し行い、前記用紙表面偶数段画像配置工程は、最右側のマスに、前記用紙表面奇数段画像配置工程が最後に配置したコマの画像から１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、前記用紙裏面奇数段画像配置工程は、最上段から画像配置処理を開始し、最左側のマスに、前記用紙表面偶数段画像配置工程が最後に配置したコマの画像から１コマ飛ばした画像を通常の向きで配置し、次に、右方向に１マス飛ばした位置に１コマ飛ばした画像を通常の向きで配置する処理を右方向に配置できるだけ繰り返し行い、前記用紙裏面偶数段画像配置工程は、最右側のマスに前記用紙裏面奇数段画像配置工程が最後に配置したコマから１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、前記画像配置制御工程は、前記各画像配置工程により行われた画像の配置が各段の最側部まで行われたら、画像を配置する段を下段に移行させるとともに、最下段まで画像が配置された場合、或いは配置した画像数が最大コマ数を超えた場合に、前記各画像配置工程による画像の配置処理を終了させることを特徴とする。
【００１０】
本発明の画像印刷方法は、前記の何れかに記載の画像配置方法により得られた表面と裏面の画像の配置を用紙の両面に印刷することを特徴とする。
【００１１】
本発明のパラパラ画像用紙製造方法は、前記に記載の画像印刷装置により得られた紙を縦方向にマスの境目の左から山折りを行う第１の工程と、前記第１の工程の後で、右方向に１マス行った境目で谷折りを行う第２の工程と、前記第２の工程の後で、さらに右方向に１マス行った境目で山折りを行う第３の工程と、前記第３の工程の後で、交互に山折り谷折りを繰り返し、境目がなくなったら、次に横方向にマスの境目の上から山折りを行う第４の工程と、前記第４の工程の後で、下方向に１マス行った境目で谷折りを行い、さらに下方向に１マス行った境目で山折りを行う第５の工程と、前記第５の工程の後で、交互に山折り谷折りを繰り返し境目がなくなったら折ることを止める第６の工程と、前記第１〜第６の工程により得られる１マス分の大きさに折り重なった紙の４辺を所定の幅で切断する第７の工程とを有することを特徴する。
【００１２】
本発明のコンピュータプログラムは、連続する複数の静止画を入力する入力工程と、記録用紙の少なくとも一部に格子状に画像配置領域が設定され、前記格子状の画像配置領域に市松模様状に、前記静止画をレイアウトする第１レイアウト工程と、前記第１レイアウト工程でレイアウトされた画像をプリントさせるプリント制御工程とをコンピュータに実行させることを特徴とする。
また、本発明のコンピュータプログラムの他の特徴とするところは、１枚の用紙に配置する画像の全コマ数を表す配置コマ数、横方向に印刷するコマ数、及び縦方向に印刷するコマ数に従って、何コマかの静止画が集まった画像達を用紙の表面及び裏面に市松模様状に配置する画像配置方法をコンピュータに実行させるプログラムであって、
前記静止画が集まった画像達を前記用紙表面の奇数段に配置する用紙表面奇数段画像配置工程と、前記静止画が集まった画像達を前記用紙表面の偶数段に配置する用紙表面偶数段画像配置工程と、前記静止画が集まった画像達を前記用紙裏面の奇数段に配置する用紙裏面奇数段画像配置工程と、前記静止画が集まった画像達を前記用紙裏面の偶数段に配置する用紙裏面偶数段画像配置工程と、前記画像達を配置するコマ数が前記配置コマ数に達したら、前記各画像配置工程による画像配置処理を停止させる画像配置制御工程とを有し、前記横方向に印刷するコマ数が奇数の場合に、
前記用紙表面奇数段画像配置工程は、最上段から画像配置処理を開始し、最左側のマスに最初のコマの画像を通常の向きで配置し、次に、右方向に１マス飛ばした位置に１コマ飛ばした画像を通常の向きで配置する処理を右方向に配置できるだけ繰り返し行い、前記用紙表面偶数段画像配置工程は、最右側から左方向に１マス飛ばした位置に前記用紙表面奇数段画像配置工程が最後に配置したコマから１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、前記用紙裏面奇数段画像配置工程は、最上段から画像配置処理を開始し、最右側から左方向に１マス飛ばした位置に２コマ目の画像を通常の向きで配置し、次に、左方向に１マス飛ばした位置に前記配置したコマの画像に対して１コマ飛ばした画像を通常の向きに配置する処理を左方向に配置できるだけ繰り返し行い、前記用紙裏面偶数段画像配置工程は、最左側のマスに、前記用紙裏面奇数段画像配置工程が最後に配置したコマから１コマ飛ばした画像を、その天地を逆転させて配置し、次に、右方向に１マス飛ばした位置に１コマ飛ばした画像を、その天地を逆転させて配置する処理を右方向に配置できるだけ繰り返し行い、前記画像配置制御工程は、前記各画像配置工程により行われた画像の配置が各段の最側部まで行われたら、画像を配置する段を下段に移行させるとともに、最下段まで画像が配置された場合、或いは配置した画像数が最大コマ数を超えた場合に、前記各画像配置工程による画像の配置処理を終了させる画像配置方法をコンピュータに実行させることを特徴とする。
また、本発明のコンピュータプログラムのその他の特徴とするところは、１枚の用紙に配置する画像の全コマ数を表す配置コマ数、横方向に印刷するコマ数、及び縦方向に印刷するコマ数に従って、何コマかの静止画が集まった画像達を用紙の表面及び裏面に市松模様状に配置する画像配置方法をコンピュータに実行させるプログラムであって、
前記静止画が集まった画像達を前記用紙表面の奇数段に配置する用紙表面奇数段画像配置工程と、前記静止画が集まった画像達を前記用紙表面の偶数段に配置する用紙表面偶数段画像配置工程と、前記静止画が集まった画像達を前記用紙裏面の奇数段に配置する用紙裏面奇数段画像配置工程と、前記静止画が集まった画像達を前記用紙裏面の偶数段に配置する用紙裏面偶数段画像配置工程と、前記画像達を配置するコマ数が前記配置コマ数に達したら、前記各画像配置工程による画像配置処理を停止させる画像配置制御工程とを有し、前記横方向に印刷するコマ数が偶数の場合に、前記用紙表面奇数段画像配置工程は、最上段から画像配置処理を開始し、最左側のマスに最初のコマの画像を通常の向きで配置し、次に、右方向に１マス飛ばした位置に１コマ飛ばした画像を通常の向きで配置する処理を右方向に配置できるだけ繰り返し行い、前記用紙表面偶数段画像配置工程は、最右側のマスに、前記用紙表面奇数段画像配置工程が最後に配置したコマの画像から１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、前記用紙裏面奇数段画像配置工程は、最上段から画像配置処理を開始し、最左側のマスに、前記用紙表面偶数段画像配置工程が最後に配置したコマの画像から１コマ飛ばした画像を通常の向きで配置し、次に、右方向に１マス飛ばした位置に１コマ飛ばした画像を通常の向きで配置する処理を右方向に配置できるだけ繰り返し行い、前記用紙裏面偶数段画像配置工程は、最右側のマスに前記用紙裏面奇数段画像配置工程が最後に配置したコマから１コマ飛ばした画像を、その天地を逆転させて配置し、次に、左方向に１マス飛ばした位置に１コマ飛ばした画像を、その天地を逆転させて配置する処理を左方向に配置できるだけ繰り返し行い、前記画像配置制御工程は、前記各画像配置工程により行われた画像の配置が各段の最側部まで行われたら、画像を配置する段を下段に移行させるとともに、最下段まで画像が配置された場合、或いは配置した画像数が最大コマ数を超えた場合に、前記各画像配置工程による画像の配置処理を終了させる画像配置方法をコンピュータに実行させることを特徴とする。
【００１３】
本発明の記録媒体は、前記に記載のコンピュータプログラムを記録したことを特徴とする。
【発明の効果】
【００１４】
本発明によれば、用紙の表面と裏面に画像を市松模様に配置し、なおかつ画像の順番と上下方向を適切に変更しながら配置するようにしたので、両面印刷を行って蛇腹折りを行い、４隅(辺)を切り取るだけで、順番に並べ替える作業を必要とせずにパラパラ画像用の順番通りに並んだ紙片の束を簡単に得ることができるようになり、印刷物でパラパラ漫画風に動く画像を手元で楽しむことができる。
【発明を実施するための最良の形態】
【００１５】
（第１の実施の形態）
以下、添付図面に従って、本発明の実施の形態について説明する。
なお、以下の実施の形態に出てくる割り算は全て整数の値が得られるものとし、小数点以下は切り捨てる。また、記号％を用いた「Ａ％Ｂ＝Ｃ」では、「Ａ」を「Ｂ」で割った余りを「Ｃ」とする。
【００１６】
まず、配置する全ての画像を得る。これは動画像を一枚一枚の静止画の集合にしたものでもよいし、別々の静止画を集めたものでもよい。どちらにしろ、パラパラとめくった場合に、動きが連続した画像であると面白いため、前の画像と相関関係がある連続画像が望ましい。
【００１７】
先ず、図１のフローチャートを用いて画像の配置手順を説明する。以下の説明において、配置する画像は横方向にｎ個、縦にＭ個の格子状に配置するものとする。また、最大何コマ配置するかの値を得る。最大コマ数が格子の数である「ｎ＊Ｍ」個よりも少ない場合は、コマが無くなった時点で配置は行わない。また、最大コマ数が格子の数である「ｎ＊Ｍ」個より大きい場合は、第２の実施の形態で述べる。さらに、最大コマ数は、１コマ以上の値とする。また、本実施の形態においては、紙の表面と裏面に画像の配置を行って、両面印刷を行うが、表面と裏面では配置方法が異なる。そのため、先ず、両面印刷する際の、表面の配置の仕方から説明する。
【００１８】
変数ｉは、各格子を左上から右に一つずつ値を増やしながら移動する変数であり、一段下がるとまた左から増える方向に進む。変数ｘは、横の列の位置を表す変数、変数ｙは、縦の段（行）の位置を表す変数である。
【００１９】
先ず、ステップＳ１００において、変数ｉを「１」に初期化する。次に、ステップＳ１０１において、変数ｙを「０」に初期化する。次に、ステップＳ１０２において、変数ｙが縦の段数Ｍより小さいかどうかを判定する。この判定の結果、大きければ処理を終え、小さければ、ステップＳ１０３に移る。
【００２０】
ステップＳ１０３では、変数ｘを「０」に初期化する。次に、ステップＳ１０４において、変数ｘが横の列数ｎよりも小さいかどうかを判定して、大きければステップＳ１１３に移り、変数ｙの値を１つ増やし、ステップＳ１０２〜ステップＳ１１３までを繰り返し行う。
【００２１】
一方、ステップＳ１０４において、変数ｘが横の列数ｎよりも小さければ、ステップＳ１０５に移る。ステップＳ１０５では、変数ｙを「２」で割った余りが「０」かどうかを判定する。この判定の結果、前記余りが「０」であれば（変数ｙが偶数であれば、すなわち、奇数段であれば）ステップＳ１０６に移り、さらに変数ｉを「２」で割った余りが「１」かどうかを判定する。この判定の結果、「１」であれば（変数ｉが奇数であれば）ステップＳ１０８に移り、「ｘ＋ｙ＊ｎ＋１」コマ目の画像をｉ番目の格子内に配置し、ステップＳ１１０に移る。また、ステップＳ１０６の判定の結果、余りが「１」でなければ（変数ｉが偶数であれば）、画像を配置せずにステップＳ１１０に移る。
【００２２】
一方、ステップＳ１０５の判定の結果、変数ｙが「０」でなければ（変数ｙが奇数であれば、すなわち、偶数段であれば）、ステップＳ１０７に移り、変数ｎを「２」で割った余りと変数ｉを「２」で割った余りとを比較する。この比較の結果、両者が等しければ、ステップＳ１０９に移り、「（ｎ−ｘ−１）＋ｙ＊ｎ＋１」コマ目の画像をｉ番目の格子内に天地を逆にして配置し、その後、ステップＳ１１０に移る。また、ステップＳ１０７の判定の結果、変数ｎを「２」で割った余りと変数ｉを「２」で割った余りとが等しくなければ、画像を配置せずにステップＳ１１０に移る。
【００２３】
ステップＳ１０５〜ステップＳ１０９までの処理でやりたいことは、要するに、奇数段では、変数ｉが奇数の場合のみ画像を配置し、偶数段では、横列の数が奇数の場合には変数ｉが奇数の場合にのみ画像を１８０度回転して配置する。また、偶数段で横列の数が偶数の場合には変数ｉが偶数の場合にのみ画像を１８０度回転して配置するということである。そうすると、市松模様に画像が配置され、配置されたコマ同士は縦も横も接することがない。また、偶数段目の画像は１８０度回転した画像になっている。
【００２４】
ステップＳ１１０では、変数ｉを一つ増やし、ステップＳ１１１に移る。ステップＳ１１１では、ｉが「最大コマ数＋１」を越えているかどうかを判定し、越えていなければ、ステップＳ１１２に移る。また、越えていればここで処理を終える。ステップＳ１１２では、変数ｘを一つ増やした後、ステップＳ１０４〜ステップＳ１１３までの処理を繰り返す。
【００２５】
図２を例に説明する。今、画像は横方向に３個、縦に５個の格子状に配置されるとする。したがって、前述のｎは「３」、変数Ｍは「５」となり、一枚の用紙が１５マスに分割される。図２にあるそれぞれのコマにある矢印は、縦方向の矢印は、画像の上方向を表し、横方向の矢印は、画像の右方向を表している。本実施の形態では、紙の両面に印刷されなければならず、図２（ａ）は表面を表し、図２（ｂ）が裏面を表している。
【００２６】
図３は、１枚の用紙の両面に印刷したものを透かしてみたような図であり、濃い数字は表面（図２（ａ）に対応する）、薄い数字は裏面の状態（図２（ｂ）に対応する）が透かして表面に見えている状態を表している。
【００２７】
図４は、図１のフローチャートの説明にある変数ｉ、変数ｘ、変数ｙの値を書き込んだ図である。図４に示したように、変数ｉは、左上から右下まで(一段下がる毎に左に折り返される)一つずつ値が増やされていく変数であり、「１」から始まるとする。
【００２８】
変数ｘは、横の列の位置を表す変数であり、変数ｙは縦の段（行）を表す変数であり、両方とも「０」から始まるとする。変数ｉは、この変数ｘ、変数ｙによっても表すことができ、「ｉ＝ｘ＋ｙ＊ｎ＋１」である。
【００２９】
今、１５コマの画像(最大コマ数＝１５)を、図１のフローチャートに従って配置しようとすると、ステップＳ１００で変数ｉを「１」に初期化して、ステップＳ１０１で変数ｙを「０」に初期化する。続いて、ステップＳ１０２で、変数Ｍと変数ｙとを比較するのであるが、この場合の変数Ｍは「５」であり、変数ｙは「０」であるので、変数ｙの方が小さいため、ステップＳ１０３に移る。
【００３０】
ステップＳ１０３では、変数ｘを「０」に初期化する。次に、ステップＳ１０４では、変数ｎは「３」であり、変数ｘは「０」であるので、変数ｘの方が小さいためステップＳ１０５に移る。
【００３１】
ステップＳ１０５では、変数ｙを「２」で割った余り「ｙ％２」は、変数ｙが「０」であるので、「０％２＝０」であるためステップＳ１０６に移る。
ステップＳ１０６では、変数ｉを「２」で割った余り「ｉ％２」は変数ｉが「１」であるので、「１％２＝１」であるため、ステップＳ１０８に移る。
【００３２】
ステップＳ１０８では、「ｘ＋ｙ＊ｎ＋１」コマ目の画像を配置するが、「ｘ＋ｙ＊ｎ＋１＝０＋０＊３＋１」は「１」であるため、１コマ目の画像を画像の上を上向に、画像の右を右向きにと通常の向きで１マス目に配置する(図５を参照)。
【００３３】
そして、ステップＳ１１０で変数ｉを一つ増やして「２」としてステップＳ１１１に移る。今、「最大コマ数＋１」は、「１５＋１＝１６」コマであり、変数ｉは「２」であるためステップＳ１１２に移り、変数ｘを一つ増やして「１」として、ステップＳ１０４に移る。ステップＳ１０４の判定において、今の状態は変数ｎが「３」であり、変数ｘが「１」であるので、変数ｘの方が小さいためステップＳ１０５に移る。
【００３４】
ステップＳ１０５では、変数ｙを「２」で割った余り「ｙ％２」は、変数ｙが「０」であるので、「０％２＝０」であるためステップＳ１０６に移り、変数ｉを「２」で割った余り「ｉ％２」は変数ｉが２であるので、「２％２＝０」であるため、２マス目には何も配置しない(図６を参照)。
【００３５】
そして、ステップＳ１１０で変数ｉを一つ増やして「３」としてステップＳ１１１に移る。今、「最大コマ数＋１」は「１５＋１＝１６」コマで変数ｉは「３」のためステップＳ１１２に移り、変数ｘを一つ増やして「２」として、ステップＳ１０４に移る。
【００３６】
ステップＳ１０４では、ｎは「３」であり変数ｘは２であり、変数ｘの方が小さいためステップＳ１０５に移る。ステップＳ１０５では、変数ｙを「２」で割った余り「y％２」は変数ｙが「０」であるので、「０％２＝０」であるためステップＳ１０６に移る。ステップＳ１０６では、変数ｉを「２」で割った余りｉ ％ ２は変数ｉが「３」であるので、「３％２＝１」であるためステップＳ１０８に移る。
【００３７】
ステップＳ１０８では、「ｘ＋ｙ＊ｎ＋１」コマ目の画像を配置するが、「ｘ＋ｙ＊ｎ＋１＝２＋０＊３＋１」は「３」であるため、３コマ目の画像を画像の上を上向に、画像の右を右向きにと通常の向きで３マス目に配置する(図７を参照)。
【００３８】
そして、ステップＳ１１０で変数ｉを一つ増やして「４」としてステップＳ１１１に移る。今、「最大コマ数＋１」は「１５＋１＝１６」コマで、変数ｉは「４」のためステップＳ１１２に移り、変数ｘを一つ増やして「３」として、ステップＳ１０４に移る。
【００３９】
ステップＳ１０４では、変数ｎは「３」であり変数ｘは「３」であり、変数ｘと変数ｎは同じ値のためステップＳ１１３に移る。ステップＳ１１３では、変数ｙを一つ増やして「１」として、ステップＳ１０２に移る。ステップＳ１０２では、変数Ｍは「５」であり変数ｙは「１」で、変数ｙの方が小さいため、ステップＳ１０３に移る。ステップＳ１０３では変数ｘを０に初期化する。ステップＳ１０４では、変数ｎは「３」であり変数ｘは「０」であり、変数ｘの方が小さいためステップＳ１０５に移る。
【００４０】
ステップＳ１０５では、変数ｙを「２」で割った余り「ｙ％２」は、変数ｙが「１」であるので、「１％２＝１」となるのでステップＳ１０７に移る。ステップＳ１０７の判定において、変数ｎは「３」なので、「ｎ％２」は「３％２＝１」となり、変数ｉは「４」で「ｉ％２」は「４％２＝０」であるため、「ｎ％２」と「ｉ％２」とは異なる値であるため、４マス目には何も配置しない(図８を参照)。
【００４１】
そして、ステップＳ１１０で変数ｉを一つ増やして５としてステップＳ１１１に移る。今、「最大コマ数＋１」は「１５＋１＝１６」コマで変数ｉは「５」のためステップＳ１１２に移り、変数ｘを一つ増やして「１」として、ステップＳ１０４に移る。ステップＳ１０４では、変数ｎは「３」であり変数ｘは「１」であり、変数ｘの方が小さいためステップＳ１０５に移る。ステップＳ１０５では、変数ｙを「２」で割った余り「ｙ％２」は変数ｙが「１」であるので、「１％２＝１」であるためステップＳ１０７に移る。
【００４２】
ステップＳ１０７では、変数ｎは「３」で「ｎ％２」は「３％２＝１」であり、変数ｉは「５」で「ｉ％２」は「５％２＝１」と「ｎ％２」と「ｉ％２」の値が等しいためステップＳ１０９に移る。ステップＳ１０９では、(ｎ−ｘ−１)＋ｙ＊ｎ＋１コマ目の画像を配置するが、「(ｎ−ｘ−１)＋ｙ＊ｎ＋１＝(３−１−１)＋１＊３＋１」は「５」であるため、５コマ目の画像の天地を逆にして、画像の上を下向に、画像の右を左向きにと１８０度回転して５マス目に配置する(図９を参照)。
【００４３】
そして、ステップＳ１１０で変数ｉを一つ増やして「６」としてステップＳ１１１に移る。ステップＳ１１１の判定において、今、「最大コマ数＋１」は「１５＋１＝１６」コマで、変数ｉは「６」のためステップＳ１１２に移り、変数ｘを一つ増やして「２」として、ステップＳ１０４に移る。
【００４４】
ステップＳ１０４の判定において、変数ｎは「３」であり変数ｘは「２」であるので、変数ｘの方が小さいためステップＳ１０５に移る。ステップＳ１０５では、変数ｙを「２」で割った余り「ｉ％２」は変数ｙが「１」であるので、「１ ％ ２ ＝ １」となるためステップＳ１０７に移る。ステップＳ１０７の判定において、変数ｎは「３」で「ｎ％２」は「３％２＝１」であり、変数ｉは「６」で「ｉ％２」は「６％２＝０」であるため「ｎ％２」と「ｉ％２」は異なる値であるため、６マス目には何も配置しない(図１０を参照)。
【００４５】
後は、同様に図１のフローチャートで説明した手順通りに進めていき、変数ｉが「１５」となった状態でステップＳ１１０に来ると、変数ｉが一つ増え「ｉ＝１６」になり、ステップＳ１１１の判定において、変数ｉが「最大コマ数＋１（最大コマ数＝１５のため）」と同じ値になり処理を終える。
【００４６】
前述したような処理を行うことにより、最終的には図４に示したように画像が配置される。このように市松模様に画像が配置されるため、配置されたコマ同士は縦も横も接することがない。また、偶数段目の画像は１８０度回転した画像になっている。
【００４７】
次に、両面印刷する際の裏面の画像配置の仕方を、図１１のフローチャートを用いて説明する。
図１１のフローチャートでは、ステップＳ２０６〜ステップＳ２０９が図１のフローチャートと異なる処理である。
【００４８】
ステップＳ２０６では、変数ｎを「２」で割った余りと変数ｉを「２」で割った余りが異なる場合は、ステップＳ２０８に移り、等しいときは、ステップＳ１１０に移る。ステップＳ２０８では、「(ｎ−ｘ−１)＋ｙ＊ｎ＋１」コマ目の画像を配置する（表面の配置を説明した図１のフローチャートでは、ステップＳ１０８で、「ｘ＋ｙ＊ｎ＋１」コマ目の画像を配置していた）。
【００４９】
ステップＳ２０７では、変数ｉを「２」で割った余りが「０」の時（変数ｉが偶数の時）にステップＳ２０９に移り、余りが「１」の時（変数ｉが奇数の時）は、ステップＳ１１０に移る。
【００５０】
ステップＳ２０９では、「ｘ＋ｙ＊ｎ＋１」コマ目の画像の天地を逆にして（１８０度回転させて）配置する（表面の配置例を説明した図１のフローチャートでは、ステップＳ１０９で、「(ｎ−ｘ−１)＋ｙ＊ｎ＋１」コマ目の画像の天地を逆にして配置していた）。要するに、奇数段では、横列の数が奇数の場合には変数ｉが偶数の場合にのみ画像を配置し、横列の数が偶数の場合には変数ｉが奇数の場合にのみ画像を配置する。また、偶数段では、変数ｉが偶数の場合のみ画像を１８０度回転して配置するということである。そうすると裏面も表面と同様に、市松模様に画像が配置され、配置されたコマ同士は縦も横も接することがない。また、偶数段目の画像は１８０度回転した画像になっている。
このフローに基づいて配置することにより、裏面のペ−ジにおいては横方向に３個、縦に５個の格子状の中に画像の配置を行った例を図１２に示す。
【００５１】
前記のようにして画像の配置を行った表面と裏面を用紙に両面印刷する。そして、図１３に示すように、縦方向に格子の境目で蛇腹状に山折り、谷折り、山折り、谷折りを繰り返す。図１３に示した例では、横方向には３個しかマスがないため、山折り谷折りで終わっている。
【００５２】
次に、図１４に示すように、横方向にやはり蛇腹状に格子の境目で山折り、谷折り、山折り、谷折りを繰り返す。図１３では、縦方向に５マスのため山折り、谷折り、山折り、谷折りで終わる。図１３及び図１４において、丸付き数字「(１)〜（６）」は折る順番を示している。
【００５３】
折る回数は、横方向にｎ個マスがあるとすると、縦方向には「ｎ−１」回で左から山折り谷折りの順番である。その後、縦にＭ個マスがあるとすると、横方向に「Ｍ−１」回で、上から山折り谷折りの順番で折る。
【００５４】
そして、図１５に示すように、「１」〜「１５」までの画像について、上下左右が正常な状態で重なっている一マス分の大きさのものが得られる。したがって、４隅(辺)をはさみなどで少しの幅（全部がばらばらになるように）で切断する（図１５の点線部分）。
【００５５】
すると、図１６に示すように、１５枚の紙片が得られ、左側を抑えながらパラパラとめくるとパラパラ漫画のような疑似動画が得られる。図１７は、紙片を一枚めくったところを示し、薄い色の１は透かして見えている状態を示している。
【００５６】
図１８（ａ）、図１８（ｂ）に示すように、例えば、山折りを太い実線で印刷し、谷折りを太い破線をあらかじめ印刷しておけば、折り畳む際のガイドになるので、折り畳み作業を容易に行うことができる。
【００５７】
（第２の実施の形態）
次に、本発明の第２の実施の形態を説明する。以下の説明において、Ｍは印刷を行いたい最大コマ数である。また、Ｍは「１」以上の値であるとする。画像は横方向にｎ個、縦にＭ個の格子状に配置されるとする。最大コマ数が「ｎ＊Ｍ」個と同じもしくは少ない場合は、第１の実施の形態と同様であるが、本実施の形態では、最大コマ数が「ｎ＊Ｍ」個より大きい場合についての画像配置方法を説明する。
【００５８】
この場合、何ペ−ジかに及ぶことになり、第１の実施の形態の方法を行い、両面印刷されたものを蛇腹に折って４隅(辺)を切り取る作業を何回か行い、全ての紙片を重ね合わせることにより、長いコマのパラパラ画像を得ることができる。
【００５９】
本実施の形態において、用紙表面の画像配置例について、図１９のフローチャートを用いて説明する。
まず、ステップＳ３００において、何ペ−ジ必要かを表す変数ＰＮの値を、「(Ｍ−１)/(ｎ＊Ｍ)＋１」より求める。次に、ステップＳ３０１に移り、ペ−ジを表す変数ｐを「１」に初期化する。
【００６０】
次に、ステップＳ３０２に移り、最後のペ−ジに何枚配置するかを表す変数ＰＲの値を［Ｍ％(ｎ＊Ｍ)］より求める。そして、ステップＳ３０３に移り、変数ｐがＰＮに等しく、ＰＲが「０」でない場合は、ステップＳ３０４に移り、pペ−ジの最大コマ数を表すｐｍにＰＲを代入する。
【００６１】
次に、ステップＳ３０３で、変数ｐがＰＮに等しくないか、ＰＲが「０」の場合には、ステップＳ３０５で、ｐｍは「ｎ＊Ｍ」の値になる。ステップＳ３０４、ステップＳ３０５ともに処理を終えたら、第１の実施の形態と同様にステップＳ１００〜ステップＳ１１３を繰り返す。ただし、ステップＳ１０８'は、「ｘ＋ｙ＊ｎ＋１＋(p−１)＊(ｎ＊Ｍ)」コマ目になり、ステップＳ１０９'は、「(ｎ−ｘ−１)＋ｙ＊ｎ＋１＋(p−１)＊(ｎ＊Ｍ)」コマ目になり、ステップＳ１１１'は、変数ｉとpペ−ジの最大コマ数を表す「ｐｍ＋１」を比べることになる点が第１の実施の形態と違う。
【００６２】
ステップＳ１１１'において、変数ｉが「ｐｍ＋１」より大きい場合は、ステップＳ３０６に移り変数ｐを一つ増やして、ステップＳ３０７に移り、裏面の配置処理を行って、ステップＳ３０８でpと「ＰＮ＋１」とでどちらが小さいかを比較する。この比較の結果、pが「ＰＮ＋１」よりも大きい場合は処理を終える。また、小さい場合は、ステップＳ３０９に移り配置するペ−ジを変更し、ステップＳ３０３〜ステップＳ１００〜ステップＳ１１３〜ステップＳ３０９を繰り返す。ステップＳ１１１'において、pが「ｐｍ＋１」より小さい場合は、ステップＳ１１１へ移り、後は、第１の実施の形態の処理と同様である。
【００６３】
裏面の配置に関しては、表面の配置の説明とほとんど同じである。処理手順を説明するフローチャートを図２０に示す。
図２０に示したように、ステップＳ３００〜ステップＳ３０６、ステップＳ３０９は表面に画像を配置する場合の説明と同じであり、ステップＳ３０７とステップＳ３０８は表面と処理が入れ替わる。また、内容もステップＳ３０８（表面ではステップＳ３０７）は、表面の配置処理を行う点が違う。ステップＳ１００〜ステップＳ１１３に関しては、第１の実施の形態と同様(図１１のフローチャートを参照)である。
【００６４】
ステップＳ２０８'とステップＳ２０９'が第１の実施の形態(図１１のフローチャート)と少し違って、ステップＳ２０８'では、「(ｎ−ｘ−１)＋ｙ＊ｎ＋１＋(p−１)＊(ｎ＊Ｍ)」コマ目の画像を配置する。ステップＳ２０９'では、「ｘ＋ｙ＊ｎ＋１＋(p−１)＊(ｎ＊Ｍ)」コマ目の画像の天地を逆にして(１８０度回転して)配置する。また、ステップＳ３０９で配置するペ−ジを変更とあるが、これは配置の行われてないまっさらなペ−ジにするという意味である。
【００６５】
前記、表面（図１９）のステップＳ３０７にあるように、両面印刷するための順番から、複数のペ−ジにまたがる場合は、表面の配置を行った後は、裏面の配置を行うことを１セットとし、次のペ−ジに行く場合はそのセットを繰り返すことになる。この場合、図１９と図２０の各フローチャートの「Start」に関しては、やはり配置の行われてないまっさらなペ−ジから始めるという意味も含まれているとする。
【００６６】
例として、全２１コマ（Ｍは印刷を行いたい最大コマ数のためＭ＝２１）を、横方向３(ｎ＝３)列、縦方向５(Ｍ＝５)行のマス目に配置することを考えると、前記説明の図１９、図２０のフローチャート中のＰＮは、
「ＰＮ＝(Ｍ−１)/(ｎ＊Ｍ)＋１＝(２１−１)/(３＊５)＋１＝２０/１５＋１≒１＋１＝２」で、２であり、ＰＲは、
「ＰＲ＝Ｍ％(ｎ＊Ｍ)＝２１％(３＊５)＝２１％１５＝６となり、ＰＲは６である。
【００６７】
そこで、図１９のフローチャートにより、ステップＳ３０３では、最初pは１で、ＰＮは２のため、pとＰＮは違う値なので、ステップＳ３０５に移り、ｐｍの値は「ｎ＊Ｍ」すなわち(３＊５)＝１５となる。そこで、ステップＳ１１１'において、変数ｉが「１６」より小さい間はステップＳ１０２〜ステップＳ１１３までの処理を行う（結局、ここまでは第１の実施の形態と同じである）と、図１８（ａ）のような表面の画像の配置が得られる。
【００６８】
次に、ステップＳ３０８の裏面の配置処理を行うため、図２０のフローチャート通りに処理を行うと、図１８（ｂ）のような裏面の画像の配置が得られる。ここまでで、「１５」コマまでの配置が完了しているが、全部で「２１」コマのため、まだ配置すべきコマが残っている。そこで、表面の配置処理に戻り、図１９のフローチャートのステップＳ３０９で、配置するペ−ジを変更して、この時点で、変数pは「２」（ステップＳ３０６により。ちなみに変数ｉは１６）になっている。
【００６９】
このため、次のステップＳ３０３では、変数pとＰＮの値が等しく、ＰＲは６で「０」でないため、ステップＳ３０４に移る。ステップＳ３０４で、ｐｍはＰＲの値すなわち、６になり、次のステップＳ１００で変数ｉが「１」にステップＳ１０１で変数ｙが「０」に初期化され、ステップＳ１１１'で変数ｉがｐｍ＋１すなわち７より小さい間S１０２〜S１１３までの処理が繰り返される。すると、図２１（ａ）のような表面の画像の配置が得られる。
【００７０】
変数ｉが「７」に達すると、ステップＳ１１１'の判定でステップＳ３０６に移り、変数pが「３」になった時点で、裏面の配置処理が行われる。裏面の処理が終了した後は、図１９のステップＳ３０８の判定でp(＝３)とＰＮ＋１(＝３)が等しくなるため全ての処理を終える。
【００７１】
同様に、裏面に関しても、前記変数ｐｍは「６」のため図２０のフローチャートの通りに処理を行うと、図２１（ｂ）のような裏面の画像の配置が得られる。図１８（ａ）と（ｂ）を両面印刷し、図２１（ａ）と図２１（ｂ）も両面印刷をして、それぞれ、指定された山折り谷折りで蛇腹のように折り４隅(辺)を切り取ることで得られる１６枚ずつの紙の束をさらに重ねることで２１枚のパラパラ画像を得ることができる。ここで、実際には３２枚の紙の束になるが、２１枚以降は白紙のため取り除けばよい。
【００７２】
（第３の実施の形態）
前述した第１の実施の形態では、市松模様に画像を配置したため、画像同士は必ず上下左右にとなりあうことがなく、上下左右のマスは空いている。ここに別の動画のコマを配置することで、パラパラ漫画を行う紙の束を束ごとひっくり返すと別の画像のパラパラ漫画を得ることができることに着目したのが本実施の形態である。
【００７３】
本実施の形態を図２２のフローチャートを用いて説明する。
本実施の形態で両面印刷を行うことは第１の実施の形態と同様であり、まず表面の配置から説明する。
最初に、第１の実施の形態の表面の配置を同様に行う。すると、横３列、縦５段（行）のマスに１５コマの動画を配置するとして、図２（ａ）と同様な配置が得られる。次に、別の種類の動画のコマを用いて図２２のフローチャートに基づいてそれぞれのコマを配置する。
【００７４】
今、画像は横方向にｎ個、縦にＭ個の格子状に配置されるとする。また最大何コマ配置するかの値を得てこれをＭとする。また、Ｍは、「ｎ＊Ｍ」以下の値で、「１」以上の値とする。Ｍが「ｎ＊Ｍ」よりも大きい場合に関しては第４の実施の形態で述べる。
変数ｉは、各格子を左下から左に一つずつ値を減らしながら移動する変数であり、一段上がるまた左から減る方向に進み最後右上で１になる。変数ｘは、横の列の位置を表す変数、変数ｙは、縦の段（行）の位置を表す変数である。
【００７５】
図２２のステップＳ４００において、変数ｉを「ｎ＊Ｍ」に初期化する。次に、ステップＳ４０１において、変数ｙを「Ｍ−１」に初期化する。次に、ステップＳ４０２において、変数ｙが「０」以上かどうかを判定して、小さければ処理を終え、「０」以上であれば、ステップＳ４０３に移る。
【００７６】
ステップＳ４０３では、変数ｘを「ｎ−１」に初期化する。次に、ステップＳ４０４において、変数ｘが「０」以上かどうかを判定して、小さければステップＳ１１３に移り、変数ｙの値を１つ減らし、ステップＳ４０２〜ステップＳ４１７までを繰り返す。ステップＳ４０４において、変数ｘが「０」以上であれば、ステップＳ４０５に移る。
【００７７】
ステップＳ４０５では、変数ｙを「２」で割った余りが「０」かどうかを判定する。この判定の結果、「０」であれば（変数ｙが偶数であれば、すなわち、奇数段であれば）ステップＳ４０６に移り、さらに変数ｉを「２」で割った余りが「１」かどうかを判定する。この判定の結果、「１」であれば（変数ｉが奇数であれば）ステップＳ４０８に移り、変数Ｋに「(ｎ−ｘ−１)＋(Ｍ−１−ｙ)＊ｎ＋１」の値を代入してステップＳ４１４に移る。
【００７８】
ステップＳ４１４では、最大コマ数と変数Ｋを比較して、変数Ｋが最大コマ数より大きければ画像を配置せずステップＳ４１０に移る。ステップＳ４１４で変数Ｋが最大コマ数以下であれば、ステップＳ４１５に移る。ステップＳ４１５では、Ｋコマ目の画像をｉ番目の格子内に配置し、ステップＳ４１０に移る。ステップＳ４０６で１でなければ（変数ｉが偶数であれば）、画像を配置せずにステップＳ４１０に移る。
【００７９】
ステップＳ４０５で、変数ｙが「０」でなければ（変数ｙが奇数であれば、すなわち、偶数段であれば）、ステップＳ４０７に移り、変数ｎを「２」で割った余りと変数ｉを「２」で割った余りを比較する。この比較の結果、両者が等しければ画像を配置せずにステップＳ４１０に移る。また、両者が異なれば、ステップＳ４０９に移り、変数Ｋに「ｘ＋(Ｍ−１−ｙ)＊ｎ＋１」を代入して、ステップＳ４１６に移る。
【００８０】
ステップＳ４１６では、最大コマ数と変数Ｋを比較して、変数Ｋが最大コマ数より大きければ画像を配置せずステップＳ４１０に移る。また、ステップＳ４１６の比較の結果で変数Ｋが最大コマ数以下であれば、ステップＳ４１７に移る。ステップＳ４１７では、Ｋコマ目の画像をｉ番目格子内に天地を逆にして(１８０度回転して)配置し、ステップＳ４１０に移る。
【００８１】
また、ステップＳ４０７の比較の結果、変数ｎを「２」で割った余りと変数ｉを「２」で割った余りとが等しくなければ、画像を配置せずにステップＳ４１０に移る。ステップＳ４１０では、変数ｉの値を「１」減らしてステップＳ４１１に移る。ステップＳ４１１では、変数ｉと「ｎ＊Ｍ−Ｍ」とを比較して、変数ｉが「ｎ＊Ｍ−Ｍ」よりも小さければ処理を終える。
【００８２】
ステップＳ４１１の比較の結果、変数ｉが「ｎ＊Ｍ−Ｍ」以上であれば、ステップＳ４１２に移る。ステップＳ４１２では、変数ｘを１減らした後、ステップＳ４０４〜ステップＳ４１７までの処理を繰り返す。前述の処理を行って作成した画像が図２３である。最初に配置したものと別の画像は丸数字で順番を表している。
【００８３】
続いて、裏面の配置を説明する。
表面に画像を配置した場合と同様に、第１の実施の形態の裏面の配置を行う。すると、横３列、縦５段（行）のマスに１５コマの動画を配置するとして、図２（ｂ）と同様な画像が得られる。次に、別の種類の動画のコマを用いて図２４のフローチャートに基づいてそれぞれのコマを配置する。
【００８４】
図２４のステップＳ４００〜ステップＳ４０５と、ステップＳ４１０〜ステップＳ４１７までは表面の画像を配置する場合に説明した図２２のフローチャートとまったく同じであり、ステップＳ５０６〜ステップＳ５０９の部分が違う。
【００８５】
ステップＳ５０６では、横の列数である変数ｎを「２」で割った余りと変数ｉを「２」で割った余りとを比較して、等しい場合は、ステップＳ５０８に移り、変数Ｋに「ｘ＋(Ｍ−１−ｙ)＊ｎ＋１」を代入する。また、ステップＳ５０６の比較の結果、変数ｎを「２」で割った余りと変数ｉを「２」で割った余りとが異なる場合は、何も配置せずにステップＳ４１０に移る。
【００８６】
ステップＳ５０７では、変数ｉを「２」で割った余りである「ｉ％２」が「１」の時(変数ｉが奇数の時)は、ステップＳ５０９に移り、変数Ｋに「(ｎ−ｘ−１)＋(Ｍ−１−ｙ)＊ｎ＋１」を代入する。そして、ステップＳ４１０に移る。ステップＳ５０７で変数ｉを「２」で割った余りである「ｉ％２」が「０」の時(変数ｉが偶数の時)は、何も配置せずにステップＳ４１０に移る。前述の処理を行って作成した画像が図２５である。最初に配置したものと別の画像は丸数字で順番を表している。
【００８７】
これで全てのマスに画像が埋まることになる。表面と裏面を一枚の用紙に両面印刷した後、図２３の山折り谷折りの順番指示通りに蛇腹折りして第１の実施の形態と同様に４隅(辺)を切り取ると図２６の上の図が得られる。
【００８８】
これは第１の実施の形態で得られたパラパラ画像の紙の束と同じであるが、この束を束ごと水平方向を軸にしてひっくり返すと、図２６における下の図の用紙の束が得られる。そして、図２７にあるように左の辺を支点に一枚一枚めくっていくと、第１の実施の形態で得られた画像とは別の画像の連続パラパラ画像を得ることができる。
【００８９】
同様に、横４列、縦８段（行）の格子に２種類の「３２」のコマの動画を図２２のフローチャートに基づいて表面を配置した図を図２８に示す。図２８において、数字に「'」のついているものが反対側からパラパラ画像を見る場合のコマ達である。図２４のフローチャートに基づいて裏面を配置した図を図２９に示す。これらの図２８と図２９とを両面印刷して、図２８の山折り谷折りの順番指示通りに蛇腹折りして第１の実施の形態と同様に４隅(辺)を切り取ると、このまま順番になっているパラパラ画像の紙の束が得られ、この束を束ごと水平方向を軸にしてひっくり返すと別の動画のパラパラ画像も得ることができる。本実施の形態の方法を用いれば、紙の裏面も有効に使えて無駄がない。
【００９０】
（第４の実施の形態）
変数Ｍは印刷を行いたい最大コマ数である。また、変数Ｍは「１」以上の値であるとする。画像は横方向にｎ個、縦にＭ個の格子状に配置されるとする。最大コマ数が「ｎ＊Ｍ」個と同じもしくは少ない場合は、第３の実施の形態と同様であるが、本実施の形態では、最大コマ数が「ｎ＊Ｍ」個より大きい場合についての方法を説明する。
【００９１】
この場合、何ペ−ジかにおよぶことになり、第３の実施の形態の方法を行い、両面印刷されたものを蛇腹に折って４隅(辺)を切り取ったものを何回か行い全てを重ね合わせることにより、長いコマのパラパラ画像を得ることができ、さらにその全てをひっくり返すことにより反対側からもパラパラ画像を得ることができる。
【００９２】
まず、第２の実施の形態を適用して、片側の画像の配置を表面と裏面の両方とも行う。次に、まだ折らずに、最初のペ−ジから後ろのペ−ジへともう片側の画像の配置を行う。その方法を以下に示す。
【００９３】
表面の配置について、図４３のフローチャートを用いて説明する。
図４３のステップＳ３００、ステップＳ３０２〜ステップＳ３０３、ステップＳ３０５〜ステップＳ３０７、ステップＳ３０９に関しては、第２の実施の形態の表面の処理と同様である。ただし、変数ｐについては第２の実施の形態と違って、実際のペ−ジとは逆順に進む。
【００９４】
すなわち、「p＝１」の場合は最終ペ−ジとなる。ステップＳ６０１は、「ｐ＝ＰＮ」とし、最大のペ−ジ数を代入する。ステップＳ６０４では、変数ｐｍの値を「ｐｍ＝((ＰＲ−１)/ｎ＋１)＊ｎ」とする(変数ＰＲの値はステップＳ３０２で求められる)。ステップＳ６０４かステップＳ３０５の終了後は、第３の実施の形態の処理と同様にステップＳ４００〜ステップＳ４１７を繰り返す。ただし、ステップＳ４０８はステップＳ６０８に、ステップＳ４０９はステップＳ６０９に、ステップＳ４１１はステップＳ６１１に置き換えられる。
【００９５】
ステップＳ６０８では、変数Ｋに、「Ｋ＝(ｎ−ｘ−１)＋(Ｍ−１−ｙ)＊ｎ＋１＋(p−１)＊(ｎ＊Ｍ)」を代入する。ステップＳ６０９では、「Ｋ＝ｘ＋(Ｍ−１−ｙ)＊ｎ＋１＋(−１)＊(ｎ＊Ｍ)」を代入する。
【００９６】
また、ステップＳ６１１で変数ｉの値が「ｎ＊Ｍ−ｐｍ＋１」よりも小さい場合は、ステップＳ６１６に移り、変数ｐを「１」つ減じる。次に、ステップＳ３０７で裏面の配置処理を行った後、ステップＳ６１８に移り、変数ｐが「０」以下の場合は処理を中止する。変数ｐが０よりも大きい場合は、ステップＳ３０９で配置するペ−ジを変更して、ステップＳ３０３〜ステップＳ３０９の処理を繰り返す。
【００９７】
次に、具体的な例を用いて前記フローチャートを説明する。今、２１コマを配置したいとして、画像は横方向に３個、縦に５個の格子状に配置されるとする。この場合、ペ−ジの最大値である変数ＰＮの値は、図１９と図４３のステップＳ３００によって、「ＰＮ＝(Ｍ−１)/(ｎ＊Ｍ)＋１」であるため、「ＰＮ＝(２１−１)/(３＊５)＋１＝２」となり、２ペ−ジあることになる。
【００９８】
最初に、表側の配置を第２の実施の形態の方法を適用して、表面の２ペ−ジを得る。これにより得られたものは、図１８（ａ）と図２１（ａ）である。次に、図４３のフローチャートの方法を先ず図１８（ａ）に適用する。
【００９９】
図４３のステップＳ３０１で変数pにＰＮを代入するため、変数pは「２」となる。次に、ステップＳ３０２で変数ＰＲは「ＰＲ＝Ｍ％(ｎ＊Ｍ)＝２１％(３＊５)＝６」となり、ステップＳ３０３で変数ＰＲは「０」でなく、かつ変数pと変数ＰＮは「２」で等しいため、ステップＳ６０４に移る。
【０１００】
ステップＳ６０４で、「ｐｍ＝((ＰＲ−１)/ｎ＋１)＊ｎ＝((６−１)/３＋１)＊３＝６となり、ｐｍに６が代入される。ステップＳ４００でｉ＝ｎ＊Ｍ＝３＊５＝１５」になり、ステップＳ４０１で「ｙ＝Ｍ−１＝５−１＝４」となり、ステップＳ４０２で変数ｙは「４」である。すなわち、変数ｙは「０」以上であるのでステップＳ４０３で「ｘ＝ｎ−１＝３−１＝２」として、ステップＳ４０４で変数ｘは「２」であり、「０」以上であるのでステップＳ４０５に移る。
【０１０１】
ステップＳ４０５で、変数ｙは「４」で、「ｙ％２＝４％２＝０」なので、ステップＳ４０６に移る。ステップＳ４０６で、変数ｉは「１５」のため「ｉ％２＝１５％２＝１」で「ｉ％２」が「０」でないため、何も画像を配置せずにステップＳ４１０に移り変数ｉを１つ減じて変数ｉに「１４」を代入する。
【０１０２】
次に、ステップＳ６１１移り、「ｎ＊Ｍ−ｐｍ＋１＝３＊５−６＋１＝１５−６＋１＝１０」なので、変数ｉと比較して変数ｉの「１４」の方が大きいため、ステップＳ４１２に移る。ステップＳ４１２で、変数ｘを１つ減じて「ｘ＝１」にしてステップＳ４０４に移る。ステップＳ４０４では変数ｘが「０」以上であるため、ステップＳ４０５に移る。
【０１０３】
ステップＳ４０５で、変数ｙは「４」で、「ｙ％２＝４％２＝０」なので、ステップＳ４０６に移る。ステップＳ４０６で、変数ｉは「１４」のため「ｉ％２＝１４％２＝０」で「ｉ％２」が「０」と等しいため、ステップＳ４０８に移り、「Ｋ＝(ｎ−ｘ−１)＋(Ｍ−１−ｙ)＊ｎ＋１＋(p−１)＊(ｎ＊Ｍ)＝(３−１−１)＋(５−１−４)＊３＋１＋(２−１)＊(３＊５)＝１＋０＊３＋１＋１＊１５＝１７」となり、ステップＳ４１４で、Ｍの２１よりＫの１７の方が小さいので、ステップＳ４１５に移り、Ｋコマ目すなわち１７コマ目の画像の天地を逆にして配置を行う。
【０１０４】
このように、ステップＳ６１１で変数ｉが１０より小さくなるまで処理を繰り返すと図４５（ａ）が得られる（第２の実施の形態の方法で得られていた画像は普通の数字で、この処理で配置したものは丸数字で示している）。次に、ステップＳ３０６でpを１つ減じて「p＝１」として、ステップＳ３０７で後で述べる裏面の配置処理を行ったあと、ステップＳ６０８で変数pは「０」よりも大きいため、ステップＳ３０９で配置するペ−ジを変更して（図２１（ａ））ステップＳ３０３で変数pと変数ＰＮが違う値であるため、ステップＳ３０５に移り、「ｐｍ＝ｎ＊Ｍ＝３＊５＝１５」として、配置処理を行う。すると、図４６（ａ）が得られる（第２の実施の形態の方法で得られていた画像は普通の数字で、この処理で配置したものは丸数字で示している）。
【０１０５】
次に、裏面の配置について、図４４のフローチャートを用いて説明する。
フローチャート図４４では、表面のフローチャート図４３とほとんど同じであるが、ステップＳ３０７がステップＳ６１７に入れ替わりステップＳ６１７では変数pが「０」より大きければステップＳ３０８に移り、変数pが「０」以下であれば処理を終える。
【０１０６】
また、ステップＳ６１８（図４３）がステップＳ３０８（図４４）と入れ替わり、ステップＳ３０８では表面の配置処理を行う。さらに、ステップＳ４０６〜ステップＳ４０９（図４３）がステップＳ５０６〜ステップＳ５０９(図４４)に入れ替わる。
【０１０７】
ステップＳ５０６では、変数ｎを「２」で割った余りと変数ｉを「２」で割った余りとが等しい場合は、ステップＳ５０８に移り、異なるときは、ステップＳ４１０に移る。ステップＳ５０８では、変数Ｋに「ｘ＋(Ｍ−１−ｙ)＊ｎ＋１＋(p−１)＊(ｎ＊Ｍ)」を代入する。ス
【０１０８】
テップＳ５０７では、変数ｉを「２」で割った余りが「１」の時（変数ｉが奇数の時）にステップＳ５０９に移り、余りが「０」の時（変数ｉが偶数の時）は、ステップＳ４１０に移る。ステップＳ５０９では、変数Ｋに「(ｎ−ｘ−１)＋(Ｍ−１−ｙ)＊ｎ＋１＋(p−１)＊(ｎ＊Ｍ)」を代入する。そうすると、裏面も表面と同様に、市松模様に画像が配置され、配置されたコマ同士は縦も横も接することがない。
【０１０９】
横方向に３個、縦に５個の格子状の中に２１枚の画像を配置する例を前記表面と同様に説明する。最初に表側の配置を第２の実施の形態の方法を適用して、裏面の２ペ−ジを得る。得られたものは、図１８（ｂ）と図２１（ｂ）である。これに裏側の裏面の配置を行ったものが、それぞれ、図４５（ｂ）と図４６（ｂ）である（第２の実施の形態の方法で得られていた画像は普通の数字で、この処理で配置したものは丸数字で示している）。
【０１１０】
以上で得られた、図４５（ａ）と（ｂ）を１枚の紙に両面印刷して、同様に、図４６（ａ）と（ｂ）を両面印刷して、それぞれ、山折り谷折りを順番に縦方向と横方向に蛇腹折りして４隅(辺)を切り取り、重ね合わせると、３０枚の紙片が得られ、両方向からパラパラ画像を得ることができる。
【０１１１】
（第５の実施の形態）
画像を市松模様に配置して、奇数段は通常の向きで偶数段は１８０度回転させることは、今までの実施の形態と同様であるが、画像の配置順番を変更することで、蛇腹折りではない違う折り方で一枚のマスの大きさまで折って４隅(辺)を切り取ることでパラパラ画像の紙片の束を順番通りに得ることが可能である。
【０１１２】
今、横４列、縦８段（行）の格子に配置した表面の様子を図３０に示す。裏面は図３１である。この図３０と図３１とを両面印刷した様子を示したのが図３２である。薄い灰色の数字は裏面が透けている様子を表している。この図３２中の太い実線は山折り、破線は谷折りを表している。丸数字は折る順番を表している。薄い灰色の太い実線と丸数字は、谷折りの反対側は山折りであるため、どちらでもガイドとして使えるように、同じ数字の谷折りに対応するものである。
【０１１３】
（第６の実施の形態）
前の実施の形態において、画像の配置を行った後、蛇腹に折って、４隅(辺)を切り取ることで並べ替える作業を必要とせずにパラパラ画像で動画を楽しむための紙片の束を即座に得られることを示したが、本実施の形態では、この４隅(辺)を切り取ることでマスいっぱいに画像を配置すると画像の端が切り取られてしまう問題を解決する。
【０１１４】
図３３は、横２列、縦８段（行）のマス内に本実施の形態の画像の配置を適応した表面の図である。図３３内の数字は実際に印刷されるものではなく説明のためで、数字の下にある下線は、下線がある側が下という意味を表すものである（前の実施の形態では矢印で表していた）。
【０１１５】
図３３のように、各マスの内側に切り取られる余白を設けてそこに切り取り線もしくはあらかじめ紙にミシン目を設けておく。また、画像はさらに内側に配置するようにして、パラパラとめくるための持ち手になる部分に余白を設ける。
【０１１６】
図３３の濃い灰色の四角が画像である。持ち手を左側にすると画像は右よりに配置することになるが、偶数段目の天地が逆になっている場所では、右よりに配置されたものを１８０度回転させるわけなので、図３３のように画像は左よりになる（画像は当然１８０度回転されている）。また、４隅(辺)は切り取られて捨てられる部分であるので、山折りや谷折りと折る順番をしめす数字（丸数字）はガイドのために実際に印刷してもよい。
【０１１７】
これを裏面にも施したものが、図３４である。さらに両面印刷して、裏面を透かしてみたように、裏面部分に印刷してある部分を薄い灰色で示したものが図３５である。この例は、横方向に２列であったため、紙の両端にはミシン目もしくは切り取り線がないが（折ったときに両端同士が重なるため切り取る必要がない）、２列以上の場合には、両端にも必要になる。図３６は、図３５の折る指示に従って折リ重ねた様子を示す図である。ここからミシン目に沿って端を切り取れば、すでに順番通りに並んだパラパラ画像の紙片の束を得ることができる。
【０１１８】
（第７の実施の形態）
ミシン目をあらかじめ用意した用紙が得られない場合は、普通の紙に印刷することになる。この場合のガイドとなる切り取り線は第６の実施の形態のように全てのマスにまたがるように引かなくてもよい。
【０１１９】
本実施の形態の方法では、最終的に画像を配置して両面印刷したものを、一マスの大きさまで蛇腹折りするため、図３７に示すように、１マス目にのみ切り取り線を印刷すればよい。
【０１２０】
また、図３７にあるように、マスの境目に山折りや谷折り、折る順番の線を印刷すると蛇腹折りする際のガイドになる。この折るためのガイド線は、マスの境目は最終的に切り取られてしまう部分であるため、得られるパラパラ画像の紙片の束には残らない。また、灰色に塗りつぶされた四角部分が画像であるとする。
【０１２１】
図３８に裏面を示し、図３９に両面印刷した様子を示す。図３９の薄い灰色の枠と数字の部分は裏面が透けさせた場合にうつる画像を表している。これを、折り線に従って折ると図４０になる。そして、４隅(辺)を図４１のようにはさみなどで切り取ると、図４２のように画像（灰色に塗りつぶされた四角部分）の端が切り取られることなく、順番通りに並んだパラパラ画像の紙片の束を得ることができる。
【０１２２】
（画像配置装置の構成例）
図４７は、画像配置装置の内部構成の一例を示すブロック図である。図４７において、３００は画像配置プログラムが稼動する画像配置装置である。
【０１２３】
画像配置装置３００は、ＣＰＵ（中央処理装置）３０１を備えている。このＣＰＵ３０１は、ＲＯＭ（リードオンリーメモリ）３０２またはハードディスク３０８に格納されているプログラムを実行して、システムバス３０４に接続される各デバイスを総括的に制御する。３０３はＲＡＭ（ランダムアクセスメモリ）で、ＣＰＵ３０１の主メモリ、ワークエリアとして機能する。３０５はデバイスコントローラ（ＤＶＣ）で、ＭＦＰ１１０を制御する。３０６はデバイス（Ｄｅｖｉｃｅ）であり、配置した画像を用紙の表面及び裏面に印刷する印刷機能を有している。
【０１２４】
３０７はディスクコントローラ（ＤＫＣ）で、スプールされた印刷データ、デバイス制御のためのプログラム等が記憶されているハードディスク（ＨＤ）３０８とのアクセスを制御する。３０９はネットワークインタフェースカード（ＮＩＣ）で、ＬＡＮ（ローカルエリアネットワーク）３１１を介してネットワークプリンタ、他のネットワーク機器或いは他のＰＣ（パーソナルコンピュータ）と双方向のデータのやり取りを行う。３１１は他の機器と情報を送受するためのＬＡＮである。
【０１２５】
なお、前述した実施の形態においては、本願発明の構成を詳細に説明したが、基本的には以下の機能を有していれば、本願発明の作用効果を得ることができる。すなわち、連続する複数の静止画を入力する入力手段と、記録用紙の少なくとも一部に格子状に画像配置領域が設定され、前記格子状の画像配置領域に市松模様状に、前記静止画をレイアウトする第１レイアウト手段と、前記第１レイアウト手段でレイアウトされた画像をプリントさせるプリント制御手段とを有していればよい。
【０１２６】
また、第２レイアウト手段を設け、前記第１レイアウト手段により、前記記録用紙の表面において画像の配置されていない格子に対応する裏面の画像配置領域に、連続する静止画像をレイアウトするようにしてもよい。この場合、前記記録用紙の裏表に配置される画像は、同一の動画像から抽出された静止画像である。
【０１２７】
さらに、動画像から複数の静止画を抽出する抽出手段を設け、前記第１レイアウト手段により、画像がレイアウトされた前記記録用紙の記録面と同一の面において、画像のレイアウトされていない市松模様状の画像配置領域については、第１レイアウト手段に用いた動画像とは異なる動画像から抽出した静止画を前記第２レイアウト手段によりレイアウトするようにしてもよい。
【０１２８】
（本発明に係る他の実施の形態）
前述した本発明の実施の形態における画像配置装置を構成する各手段、並びに画像配置方法の各ステップは、コンピュ−タのＲＡＭやＲＯＭなどに記憶されたプログラムが動作することによって実現できる。このプログラム及び前記プログラムを記録したコンピュ−タ読み取り可能な記憶媒体は本発明に含まれる。
【０１２９】
また、本発明は、例えば、システム、装置、方法、プログラムもしくは記録媒体等としての実施の形態も可能であり、具体的には、複数の機器から構成されるシステムに適用しても良いし、また、一つの機器からなる装置に適用しても良い。
【０１３０】
なお、本発明は、前述した実施の形態の機能を実現するソフトウェアのプログラム（実施の形態では、図１、図１１、図１９、図２０、ず２２、図２４、図４３、図４４に示すフローチャートに対応したプログラム）を、システムあるいは装置に直接、あるいは遠隔から供給し、そのシステムあるいは装置のコンピュ−タが前記供給されたプログラムコ−ドを読み出して実行することによっても達成される場合を含む。
【０１３１】
したがって、本発明の機能処理をコンピュ−タで実現するために、前記コンピュ−タにインスト−ルされるプログラムコ−ド自体も本発明を実現するものである。つまり、本発明は、本発明の機能処理を実現するためのコンピュ−タプログラム自体も含まれる。
【０１３２】
その場合、プログラムの機能を有していれば、オブジェクトコ−ド、インタプリタ−（interpreter）により実行されるプログラム、ＯＳに供給するスクリプトデ−タ等の形態であっても良い。
【０１３３】
プログラムを供給するための記録媒体としては、例えば、フロッピ−（登録商標）ディスク、ハ−ドディスク、光ディスク、光磁気ディスク、ＭＯ、ＣＤ−ＲＯＭ、ＣＤ−Ｒ、ＣＤ−ＲＷ、磁気テ−プ、不揮発性のメモリカ−ド、ＲＯＭ、ＤＶＤ（ＤＶＤ−ＲＯＭ，ＤＶＤ−Ｒ）などがある。
【０１３４】
その他、プログラムの供給方法としては、クライアントコンピュ−タのブラウザを用いてインタ−ネットのホ−ムペ−ジに接続し、前記ホ−ムペ−ジから本発明のコンピュ−タプログラムそのもの、もしくは圧縮され自動インスト−ル機能を含むファイルをハ−ドディスク等の記録媒体にダウンロ−ドすることによっても供給できる。
【０１３５】
また、本発明のプログラムを構成するプログラムコ−ドを複数のファイルに分割し、それぞれのファイルを異なるホ−ムペ−ジからダウンロ−ドすることによっても実現可能である。つまり、本発明の機能処理をコンピュ−タで実現するためのプログラムファイルを複数のユ−ザに対してダウンロ−ドさせるＷＷＷサ−バも、本発明に含まれるものである。
【０１３６】
また、本発明のプログラムを暗号化してＣＤ−ＲＯＭ等の記憶媒体に格納してユ−ザに配布し、所定の条件をクリアしたユ−ザに対し、インタ−ネットを介してホ−ムペ−ジから暗号化を解く鍵情報をダウンロ−ドさせ、その鍵情報を使用することにより暗号化されたプログラムを実行してコンピュ−タにインスト−ルさせて実現することも可能である。
【０１３７】
また、コンピュ−タが、読み出したプログラムを実行することによって、前述した実施の形態の機能が実現される他、そのプログラムの指示に基づき、コンピュ−タ上で稼動しているＯＳなどが、実際の処理の一部または全部を行い、その処理によっても前述した実施の形態の機能が実現され得る。
【０１３８】
さらに、記録媒体から読み出されたプログラムが、コンピュ−タに挿入された機能拡張ボ−ドやコンピュ−タに接続された機能拡張ユニットに備わるメモリに書き込まれた後、そのプログラムの指示に基づき、その機能拡張ボ−ドや機能拡張ユニットに備わるＣＰＵなどが実際の処理の一部または全部を行い、その処理によっても前述した実施の形態の機能が実現される。
【図面の簡単な説明】
【０１３９】
【図１】第１の実施の形態を示し、用紙の表面に画像を配置する手順の一例を説明するフローチャートである。
【図２（ａ）】第１の実施の形態を示し、用紙の表面画像を配置した状態の一例を示す図である。
【図２（ｂ）】第１の実施の形態を示し、用紙の裏面画像を配置した状態の一例を示す図である。
【図３】第１の実施の形態を示し、用紙の表面及び裏面に画像を配置した状態（裏面は透かして見えた場合の仮想的なもの）の一例を示す図である。
【図４】第１の実施の形態を示し、画像の配置例を示す図である。
【図５】第１の実施の形態を示し、画像の１コマ目の配置を示す図である。
【図６】第１の実施の形態を示し、画像の２コマ目の配置例を示す図である。
【図７】第１の実施の形態を示し、画像の３コマ目の配置例を示す図である。
【図８】第１の実施の形態を示し、画像の４コマ目の配置例を示す図である。
【図９】第１の実施の形態を示し、画像の５コマ目の配置例を示す図である。
【図１０】第１の実施の形態を示し、画像の６コマ目の配置例を示す図である。
【図１１】第１の実施の形態を示し、用紙の表面に画像を配置する手順の一例を説明するフローチャートである。
【図１２】第１の実施の形態を示し、画像の配置例を示す図である。
【図１３】第１の実施の形態を示し、画像が印刷された用紙を格子の境目で蛇腹状に山折り、谷折りする様子を説明する図である。
【図１４】第１の実施の形態を示し、縦方向に折った用紙を横方向に蛇腹折りしようとしている様子を示す図である。
【図１５】第１の実施の形態を示し、横方向及び縦方向に折り終わった様子を示す図である。
【図１６】第１の実施の形態を示し、４隅(辺)が切り取られてばらばらになった紙片の束を示す図である。
【図１７】第１の実施の形態を示し、紙片の束を一枚めくった状態を示す図である。
【図１８（ａ）】第１の実施の形態を示し、用紙の表面に画像を配置した例を示す図である。
【図１８（ｂ）】第１の実施の形態を示し、用紙の裏面に画像を配置した例を示す図である。
【図１９】第２の実施の形態を示し、用紙の表面に画像を配置する手順を説明するフローチャートである。
【図２０】第２の実施の形態を示し、用紙の裏面に画像を配置する手順を説明するフローチャートである。
【図２１（ａ）】第２の実施の形態を示し、用紙の表面に画像を配置した例を示す図である。
【図２１（ｂ）】第２の実施の形態を示し、用紙の裏面に画像を配置した例を示す図である。
【図２２】第３の実施の形態を示し、用紙の表面に画像を配置する手順の一例を説明するフローチャートである。
【図２３】第３の実施の形態を示し、用紙の表面に画像を配置した状態を示す図である。
【図２４】第３の実施の形態を示し、用紙の裏面に画像を配置する手順の一例を説明するフローチャートである。
【図２５】第３の実施の形態を示し、用紙の表面に画像を配置した状態を示す図である。
【図２６】第３の実施の形態を示し、図２３に示された山折り谷折りの順番指示通りに蛇腹折りし、４隅(辺)を切り取った束の様子を示す図である。
【図２７】第３の実施の形態を示し、図２６で示された紙片の束を左の辺を支点に一枚一枚めくった状態を説明する図である。
【図２８】第３の実施の形態を示し、横４列、縦８段（行）の格子に２種類の「３２」のコマの動画を用紙の表面に配置した例を示す図である。
【図２９】第３の実施の形態を示し、横４列、縦８段（行）の格子に２種類の「３２」のコマの動画を用紙の裏面に配置した例を示す図である。
【図３０】第５の実施の形態を示し、蛇腹折りではない違う折り方でパラパラ画像の紙片の束を順番通りに得るようにする場合における用紙表面の画像の配置例を示す図である。
【図３１】第５の実施の形態を示し、蛇腹折りではない違う折り方でパラパラ画像の紙片の束を順番通りに得るようにする場合における用紙裏面の画像の配置例を示す図である。
【図３２】第５の実施の形態を示し、図３０と図３１とを両面印刷した様子を示した図である。
【図３３】第６の実施の形態を示し、用紙の表面の画像の配置例を示す図である。
【図３４】第６の実施の形態を示し、用紙の裏面の画像の配置例を示す図である。
【図３５】第６の実施の形態を示し、用紙の表面及び裏面の画像の配置例を示す図である。
【図３６】第６の実施の形態を示し、図３５に示された折る指示に従って折り重ねた様子を示す図である。
【図３７】第６の実施の形態を示し、１マス目にのみ切り取り線を印刷するようにした例において、用紙の表面の配置例を示す図である。
【図３８】第６の実施の形態を示し、１マス目にのみ切り取り線を印刷するようにした例において、用紙の裏面の配置例を示す図である。
【図３９】第６の実施の形態を示し、１マス目にのみ切り取り線を印刷するようにした例において、用紙の表面及び裏面の配置例を示す図である。
【図４０】第６の実施の形態を示し、１マスの大きさに折り終わった状態を示す図である。
【図４１】第６の実施の形態を示し、用紙の束の４隅(辺)を切り取っている様子を示す図である。
【図４２】第６の実施の形態を示し、用紙の束の４隅(辺)を切り取り去った状態を示す図である。
【図４３】第４の実施の形態を示し、用紙の表面に画像を配置する手順の一例を説明するフローチャートである。
【図４４】第４の実施の形態を示し、用紙の裏面に画像を配置する手順の一例を説明するフローチャートである。
【図４５（ａ）】第４の実施の形態を示し、１枚目の画像の表面の配置図である。
【図４５（ｂ）】第４の実施の形態を示し、１枚目の画像の裏面の配置図である。
【図４６（ａ）】第４の実施の形態を示し、２枚目の画像の表面の配置図である。
【図４６（ｂ）】第４の実施の形態を示し、２枚目の画像の裏面の配置図である。
【図４７】実施の形態の画像配置装置を構成可能なコンピュータシステムの一例を示すブロック図である。
【符号の説明】
【０１４０】
３００  画像配置装置
３０１  ＣＰＵ（中央処理装置）
３０２  ＲＯＭ（リードオンリーメモリ）
３０３  ３０３はＲＡＭ（ランダムアクセスメモリ）
３０４  システムバス
３０５  デバイスコントローラ（ＤＶＣ）
３０６  デバイス（Ｄｅｖｉｃｅ）
３０７  ディスクコントローラ（ＤＫＣ）
３０８  ハードディスク
３０９  ネットワークインタフェースカード（ＮＩＣ）
３１１  ＬＡＮ（ローカルエリアネットワーク）
【図１】
2006229770.tif 000003
【図２（ａ）】
2006229770.tif 000004
【図２（ｂ）】
2006229770.tif 000005
【図３】
2006229770.tif 000006
【図４】
2006229770.tif 000007
【図５】
2006229770.tif 000008
【図６】
2006229770.tif 000009
【図７】
2006229770.tif 000010
【図８】
2006229770.tif 000011
【図９】
2006229770.tif 000012
【図１０】
2006229770.tif 000013
【図１１】
2006229770.tif 000014
【図１２】
2006229770.tif 000015
【図１３】
2006229770.tif 000016
【図１４】
2006229770.tif 000017
【図１５】
2006229770.tif 000018
【図１６】
2006229770.tif 000019
【図１７】
2006229770.tif 000020
【図１８（ａ）】
2006229770.tif 000021
【図１８（ｂ）】
2006229770.tif 000022
【図１９】
2006229770.tif 000023
【図２０】
2006229770.tif 000024
【図２１（ａ）】
2006229770.tif 000025
【図２１（ｂ）】
2006229770.tif 000026
【図２２】
2006229770.tif 000027
【図２３】
2006229770.tif 000028
【図２４】
2006229770.tif 000029
【図２５】
2006229770.tif 000030
【図２６】
2006229770.tif 000031
【図２７】
2006229770.tif 000032
【図２８】
2006229770.tif 000033
【図２９】
2006229770.tif 000034
【図３０】
2006229770.tif 000035
【図３１】
2006229770.tif 000036
【図３２】
2006229770.tif 000037
【図３３】
2006229770.tif 000038
【図３４】
2006229770.tif 000039
【図３５】
2006229770.tif 000040
【図３６】
2006229770.tif 000041
【図３７】
2006229770.tif 000042
【図３８】
2006229770.tif 000043
【図３９】
2006229770.tif 000044
【図４０】
2006229770.tif 000045
【図４１】
2006229770.tif 000046
【図４２】
2006229770.tif 000047
【図４３】
2006229770.tif 000048
【図４４】
2006229770.tif 000049
【図４５（ａ）】
2006229770.tif 000050
【図４５（ｂ）】
2006229770.tif 000051
【図４６（ａ）】
2006229770.tif 000052
【図４６（ｂ）】
2006229770.tif 000053
【図４７】
2006229770.tif 000054